(57)【要約】【課題】ユーザの負担を軽減したアクセス制御機能を備える情報処理装置、会議システム、情報処理方法、及び情報処理プログラムを提供する。【解決手段】  会議における音声と会議で投影された画像とを取得した時刻で関連付けて登録する画像音声登録手段と、ユーザ認証情報に基づいてユーザ認証する認証手段とを備え、画像音声登録手段は、ユーザが取得画像へアクセスを許可される条件を表したアクセス制限情報とアクセス対象とされる取得画像とを関連付けて記憶部に登録する。この構成によれば、認証されたユーザがアクセスを許可される取得画像を、ユーザ認証情報と登録されたアクセス制限情報とに基づいて特定できる。よって、異なる複数のパスワードを管理するユーザの負担を軽減できる。【選択図】図１
2007334832.tif 000002
【特許請求の範囲】
【請求項１】
会議において取得された音声である取得音声と前記取得音声を取得した時刻である音声取得時刻とを関連付け、会議において投影された画像であって会議において取得した画像である取得画像と前記取得画像を取得した時刻である画像取得時刻とを関連付け、かつ前記取得音声と前記取得画像とを前記音声取得時刻及び前記画像取得時刻に基づいて関連付けて、記憶部に登録する画像音声登録手段と、
前記取得画像へのアクセスを要求するユーザを認証し、かつ識別する情報であるユーザ認証情報に基づいてユーザ認証する認証手段とを備え、
前記画像音声登録手段は、前記ユーザ認証情報で識別されるユーザが、前記取得画像へアクセスを許可される条件を表した情報であるアクセス制限情報と、アクセス対象とされる前記取得画像と、を関連付けて前記記憶部に登録することを特徴とする情報処理装置。
【請求項２】
前記アクセス制限情報は、前記取得画像に対してアクセスを許可されるユーザのユーザ識別情報、又は前記取得画像に対してアクセスを拒否されるユーザのユーザ識別情報のいずれか一方を表すことを特徴とする請求項１に記載の情報処理装置。
【請求項３】
前記アクセス制限情報は、前記取得画像に対してアクセスを許可される複数のユーザで構成されるユーザグループを識別する情報、又は前記取得画像に対してアクセスを拒否される１又は複数のユーザで構成されるユーザグループを識別する情報のいずれか一方を表すことを特徴とする請求項１に記載の情報処理装置。
【請求項４】
前記アクセス制限情報は、前記取得画像に対するアクセスを許可するか否かを表すアクセス許否情報を含むことを特徴とする請求項１ないし３に記載の情報処理装置。
【請求項５】
前記アクセス制限情報は、前記アクセス許否情報の有効期間を含むことを特徴とする請求項４に記載の情報処理装置。
【請求項６】
前記アクセス制限情報は、前記取得画像又は前記取得画像の内容を開示することが許される範囲である開示可能範囲を含むことを特徴とする請求項１ないし５に記載の情報処理装置。
【請求項７】
会議を識別する情報である会議識別情報と、前記会議の開始時刻及び終了時刻で表される開催時間区間と、前記会議において取得された取得画像に対するアクセス制限情報と、を関連付けて前記記憶部に登録するアクセス情報登録手段を更に備え、
前記画像音声登録手段が前記取得画像に関連付けるアクセス制限情報は、前記アクセス情報登録手段により前記記憶部に登録されたアクセス制限情報であって、前記取得画像を取得した時刻が属する前記開催時間区間に関連付けられたアクセス制限情報であることを特徴とする請求項１ないし６に記載の情報処理装置。
【請求項８】
前記アクセス情報登録手段は、前記会議識別情報と前記会議識別情報で識別される会議が開催された会場を識別する会場識別情報とを関連付けて前記記憶部に登録し、
前記取得画像に関連付けられるアクセス制限情報は、前記アクセス情報登録手段により前記記憶部に登録されたアクセス制限情報であって、前記取得画像を取得した会議の会場識別情報に関連付けられたアクセス制限情報であることを特徴とする請求項７に記載の情報処理装置。
【請求項９】
前記取得画像と、前記取得画像について分類をする基準である取得画像分類基準と、を関連付けて登録する分類基準登録手段を更に備え、
取得画像分類基準は、関連付けられる前記取得画像から画像認識処理により取得したテキスト情報を構成する単語を含むことを特徴とする請求項１ないし８に記載の情報処理装置。
【請求項１０】
前記取得画像分類基準は、前記取得画像が会議において投影された時間区間である投影区間を含むことを特徴とする請求項１ないし９に記載の情報処理装置。
【請求項１１】
前記画像音声登録手段は、前記取得画像と前記取得画像を基に作成されたサムネイルを関連付けて前記記憶部に登録することを特徴とする請求項１ないし１０に記載の情報処理装置。
【請求項１２】
会議において取得された音声である取得音声と前記取得音声を取得した時刻である音声取得時刻とを関連付け、会議において投影された画像であって会議において取得した画像である取得画像と前記取得画像を取得した時刻である画像取得時刻とを関連付け、かつ前記取得音声と前記取得画像とを前記音声取得時刻及び前記画像取得時刻に基づいて関連付けて、記憶部に登録する画像音声登録手段と、
前記取得画像へのアクセスを要求するユーザを認証し、かつ識別する情報であるユーザ認証情報に基づいてユーザ認証する認証手段と、
前記取得画像を表示する表示手段と、
前記画像音声登録手段が記憶部に登録した取得画像を検索する検索手段とを備え、
前記画像音声登録手段は、前記ユーザ認証情報で識別されるユーザが、前記取得画像へアクセスを許可される条件を表した情報であるアクセス制限情報と、アクセス対象とされる前記取得画像と、を関連付けて前記記憶部に登録し、
前記検索手段は、前記認証手段により認証されたユーザがアクセスを許可された取得画像をアクセス制限情報に基づいて検索し、
表示手段は、前記検索手段で検索された取得画像を表示することを特徴とする会議システム。
【請求項１３】
前記アクセス制限情報は、前記取得画像に対してアクセスを許可されるユーザのユーザ識別情報、又は前記取得画像に対してアクセスを拒否されるユーザのユーザ識別情報のいずれか一方を表すことを特徴とする請求項１２に記載の会議システム。
【請求項１４】
前記アクセス制限情報は、前記取得画像に対してアクセスを許可される複数のユーザで構成されるユーザグループを識別する情報、又は前記取得画像に対してアクセスを拒否される１又は複数のユーザで構成されるユーザグループを識別する情報のいずれか一方を表すことを特徴とする請求項１２に記載の会議システム。
【請求項１５】
前記アクセス制限情報は、前記取得画像に対するアクセスを許可するか否かを表すアクセス許否情報を含むことを特徴とする請求項１２ないし１４に記載の会議システム。
【請求項１６】
前記アクセス制限情報は、前記アクセス許否情報の有効期間を含むことを特徴とする請求項１５に記載の会議システム。
【請求項１７】
前記アクセス制限情報は、前記取得画像又は前記取得画像の内容を開示することが許される範囲である開示可能範囲を含み、
前記表示手段は、前記検索手段により検索された取得画像に関連付けられた開示可能範囲を表示することを特徴とする請求項１２ないし１６に記載の会議システム。
【請求項１８】
前記取得画像と、前記取得画像について分類をする基準である取得画像分類基準と、を関連付けて登録する分類基準登録手段を更に備え、
取得画像分類基準は、関連付けられる前記取得画像から画像認識処理により取得したテキスト情報を構成する単語を含み、
前記検索手段は、前記取得画像分類基準に基づいて前記取得画像を検索することを特徴とする請求項１２ないし１７に記載の会議システム。
【請求項１９】
前記画像音声登録手段は、前記取得画像と前記取得画像を基に作成されたサムネイルを関連付けて前記記憶部に登録し、
前記表示手段は、前記検索手段により検索された取得画像に関連付けられたサムネイルを一覧表示することを特徴とする請求項１８に記載の会議システム。
【請求項２０】
前記取得画像分類基準は、前記取得画像が会議において投影された時間区間である投影区間を含み、
前記表示手段に表示する取得画像の投影区間において取得された取得音声を出音する出音手段を更に備えることを特徴とする請求項１８又は１９に記載の会議システム。
【請求項２１】
前記アクセス制限情報を入力する入力手段と、
前記取得画像に関連付けて記憶部に登録されたアクセス制限情報を、前記入力手段で入力されたアクセス制限情報で変更登録するアクセス情報変更登録手段とを更に備えることを特徴とする請求項１２ないし２０に記載の会議システム。
【請求項２２】
前記入力手段は、前記表示手段の表示するサムネイルを選択する選択信号を入力し、
前記アクセス情報変更登録手段は、前記入力手段で入力された選択信号で選択されたサムネイルに関連付けられた前記取得画像のアクセス制限情報を変更登録することを特徴とする請求項２１に記載の会議システム。
【請求項２３】
会議を識別する情報である会議識別情報と、前記会議の開始時刻及び終了時刻で表される開催時間区間と、前記会議において取得された取得画像に対するアクセス制限情報と、を関連付けて前記記憶部に登録するアクセス情報登録手段を更に備え、
前記画像音声登録手段が前記取得画像に関連付けるアクセス制限情報は、前記アクセス情報登録手段により前記記憶部に登録されたアクセス制限情報であって、前記取得画像を取得した時刻が属する前記開催時間区間に関連付けられたアクセス制限情報であることを特徴とする請求項１２ないし２２に記載の会議システム。
【請求項２４】
前記入力手段は、前記記憶部に登録される取得画像に関連付けられるアクセス制限情報を指示する指示信号と、前記指示信号が指示するアクセス制限情報と、を入力し、
前記指示信号は、前記記憶部に登録される取得画像に関連付けられるアクセス制限情報を、前記アクセス情報登録手段が開催時間区間と関連付けて前記記憶部に登録したアクセス制限情報に代えて、前記指示信号が指定するアクセス制限情報とするよう指示する信号であり、
前記画像音声登録手段は、前記入力手段で入力された指示信号に従ってアクセス制限情報と前記取得画像とを関連付けて前記記憶部に登録することを特徴とする請求項２３に記載の会議システム。
【請求項２５】
会議において取得された音声である取得音声と前記取得音声を取得した時刻である音声取得時刻とを関連付け、会議において投影された画像であって会議において取得した画像である取得画像と前記取得画像を取得した時刻である画像取得時刻とを関連付け、かつ前記取得音声と前記取得画像とを前記音声取得時刻及び前記画像取得時刻に基づいて関連付けて、記憶部に登録する画像音声登録ステップと、
前記取得画像へのアクセスを要求するユーザを認証し、かつ識別する情報であるユーザ認証情報に基づいてユーザ認証する認証ステップとを備え、
前記画像音声登録ステップは、前記ユーザ認証情報で識別されるユーザが、前記取得画像へアクセスを許可される条件を表した情報であるアクセス制限情報と、アクセス対象とされる前記取得画像と、を関連付けて前記記憶部に登録することを特徴とする情報処理方法。
【請求項２６】
コンピュータに、会議において取得された音声である取得音声と前記取得音声を取得した時刻である音声取得時刻とを関連付け、会議において投影された画像であって会議において取得した画像である取得画像と前記取得画像を取得した時刻である画像取得時刻とを関連付け、かつ前記取得音声と前記取得画像とを前記音声取得時刻及び前記画像取得時刻に基づいて関連付けて、記憶部に登録する画像音声登録ステップと、
前記取得画像へのアクセスを要求するユーザを認証し、かつ識別する情報であるユーザ認証情報に基づいてユーザ認証する認証ステップとを実行させるためのプログラムであって、
前記画像音声登録ステップは、前記ユーザ認証情報で識別されるユーザが、前記取得画像へアクセスを許可される条件を表した情報であるアクセス制限情報と、アクセス対象とされる前記取得画像と、を関連付けて前記記憶部に登録することを特徴とする情報処理プログラム。
【発明の詳細な説明】
【技術分野】
【０００１】
本発明は、会議における音声及び画像を蓄積、検索、又は視聴できる情報処理装置、会議システム、情報処理方法、及び情報処理プログラムに関し、特に、ユーザの負担を軽減したアクセス制御機能を備える情報処理装置、会議システム、情報処理方法、及び情報処理プログラムに関する。
【背景技術】
【０００２】
会議又は講義等において、発表者は、プロジェクタにより資料画像を投影し、投影した画像に対して発表を行なう。このようにして行なわれた会議等において投影された画像及び発言された音声を予め記録し、記録した画像及び音声を記録した時刻に基づいて同期させて表示及び出音することで、会議に出席しなかった者や会議の内容を再確認しようとする者が会議の内容を参照することができる。
【０００３】
このような機能を有する記録システムとしては、プロジェクタが投影した資料画像をプロジェクタ内部に保存し、会議における音声をプロジェクタに接続されたマイクロフォンで取得してプロジェクタ内部に保存し、かつ保存した画像及び音声を保存した時刻に基づいて同期させて遠隔端末に表示及び出音できるプロジェクタが知られている（例えば、特許文献１参照）。
【０００４】
また、プロジェクタ装置が投影した資料画像をプロジェクタ内部に保存し、かつ保存した画像をパスワード認証をクリアしたユーザが操作する遠隔端末にのみ表示するプロジェクタ装置が知られている（例えば、特許文献２参照）。
【特許文献１】特開２００５‐２８４１９６
【特許文献２】特開２００３‐１７３１７７
【発明の開示】
【発明が解決しようとする課題】
【０００５】
ところで、上記のようなプロジェクタでは、保存した画像及び音声に対するアクセス制限機能を有しないため、会議において投影等された画像又は音声の視聴により機密情報が漏洩するおそれがあった。これより、機密情報の管理者には、プロジェクタの使用者が視聴する画像及び音声を管理、監督する労力が生じると言う問題があった。
【０００６】
また、上記のようなプロジェクタ装置では、パスワード認証機能を有するため、機密情報の管理者には、プロジェクタ装置を使用するユーザが閲覧する画像を管理、監督する労力が生じない。
しかし、上記のようなプロジェクタ装置では、ユーザ認証機能を有しないため、参加者の異なる会議が開催される毎に異なったパスワードを発行する必要がある。よって、プロジェクタ装置のユーザには、会議毎に異なったパスワードを管理する負担が生じると言う問題があった。
【０００７】
本発明は、上記問題に鑑みて成されたものであり、その目的とするところは、ユーザの負担を軽減したアクセス制御機能を備える情報処理装置、会議システム、情報処理方法、及び情報処理プログラムを提供することにある。
【課題を解決するための手段】
【０００８】
本発明に係る情報処理装置は、会議において取得された音声である取得音声と取得音声を取得した時刻である音声取得時刻とを関連付け、会議において投影された画像であって会議において取得した画像である取得画像と取得画像を取得した時刻である画像取得時刻とを関連付け、かつ取得音声と取得画像とを音声取得時刻及び画像取得時刻に基づいて関連付けて、記憶部に登録する画像音声登録手段と、取得画像へのアクセスを要求するユーザを認証し、かつ識別する情報であるユーザ認証情報に基づいてユーザ認証する認証手段とを備え、画像音声登録手段は、ユーザ認証情報で識別されるユーザが、取得画像へアクセスを許可される条件を表した情報であるアクセス制限情報と、アクセス対象とされる取得画像と、を関連付けて記憶部に登録することを特徴としている。
この構成によれば、認証手段はユーザ認証情報に基づいてユーザ認証し、画像音声登録手段は取得画像とアクセス制限情報とを関連付けて記憶部に登録するので、認証されたユーザがアクセスを許可される取得画像を、ユーザ認証情報と登録されたアクセス制限情報とに基づいて特定できる。よって、ユーザはユーザ認証情報のみを管理すればよく、一例として、会議毎に異なるパスワードを発行する場合と比べて、異なる複数のパスワードを管理するユーザの負担を軽減できる。
また、ユーザのアクセスできる画像の管理をアクセス制限情報により一元管理できるため、ユーザの役職の変更等により生じるアクセス権限の変更に柔軟に対応できる。
【０００９】
上記構成において、アクセス制限情報は、取得画像に対してアクセスを許可されるユーザのユーザ識別情報、又は取得画像に対してアクセスを拒否されるユーザのユーザ識別情報のいずれか一方を表す構成を採用できる。
この構成によれば、アクセス制限情報はユーザ識別情報で表されるため、取得画像へのアクセスが許可されるユーザをユーザ識別情報により個別に特定できる。よって、取得画像に含まれる機密情報の開示を許可するユーザを個別に特定できる。
【００１０】
上記構成において、アクセス制限情報は、取得画像に対してアクセスを許可される複数のユーザで構成されるユーザグループを識別する情報、又は取得画像に対してアクセスを拒否される１又は複数のユーザで構成されるユーザグループを識別する情報のいずれか一方を表す構成を採用できる。
この構成によれば、アクセス制限情報は複数のユーザで構成されるユーザグループを識別する情報で表されるため、取得画像へのアクセスが許可されるユーザをユーザグループの識別情報により一括に特定できる。よって、取得画像に含まれる機密情報を管理する管理者の労力を軽減できる。
【００１１】
上記構成において、アクセス制限情報は、取得画像に対するアクセスを許可するか否かを表すアクセス許否情報を含む構成を採用できる。
この構成によれば、画像音声登録手段は、取得画像とアクセス許否を表す情報とを関連付けて記憶部に登録するため、一例として、取得画像とアクセスの許可のみを表す情報とを関連付けて記憶部に登録する場合と比べて、アクセスを許可する条件に対する記載の自由度が向上する。
【００１２】
上記構成において、アクセス制限情報は、アクセス許否情報の有効期間を含む構成を採用できる。
この構成によれば、画像音声登録手段は、アクセス許否を表す情報のみならず有効期間をも取得画像と関連付けて記憶部に登録するため、アクセスを許可する条件に対する記載の自由度が向上する。
【００１３】
上記構成において、アクセス制限情報は、取得画像又は取得画像の内容を開示することが許される範囲である開示可能範囲を含む構成を採用できる。
この構成によれば、画像音声登録手段は、取得画像と開示可能範囲とを関連付けて記憶部に登録するため、取得画像の開示可能範囲を容易に知ることができる。
【００１４】
上記構成において、会議を識別する情報である会議識別情報と、会議の開始時刻及び終了時刻で表される開催時間区間と、会議において取得された取得画像に対するアクセス制限情報と、を関連付けて記憶部に登録するアクセス情報登録手段を更に備え、画像音声登録手段が取得画像に関連付けるアクセス制限情報は、アクセス情報登録手段により記憶部に登録されたアクセス制限情報であって、取得画像を取得した時刻が属する開催時間区間に関連付けられたアクセス制限情報である構成を採用できる。
この構成によれば、画像音声登録手段は、アクセス情報登録手段により会議毎に登録されたアクセス制限情報を取得画像と関連付けて記憶部に登録するため、取得画像の数が増加したとしても一括にアクセス制限情報を定めることができる。よって一例として、取得画像毎にアクセス制限情報を個別に定めて登録する場合と比べて、取得画像の有する機密情報を管理する管理者の労力を軽減できる。
【００１５】
上記構成において、アクセス情報登録手段は、会議識別情報と会議識別情報で識別される会議が開催された会場を識別する会場識別情報とを関連付けて記憶部に登録し、取得画像に関連付けられるアクセス制限情報は、アクセス情報登録手段により記憶部に登録されたアクセス制限情報であって、取得画像を取得した会議の会場識別情報に関連付けられたアクセス制限情報である構成を採用できる。
この構成によれば、アクセス情報登録手段は、会議識別情報に対して開催時間区間のみならず会場識別情報をも関連付けて記憶部に登録する。よって、会議を開催した時間区間のみならず会議を開催した会場に基づいて会議を特定してアクセス制限情報を登録できる。
【００１６】
上記構成において、取得画像と、取得画像について分類をする基準である取得画像分類基準と、を関連付けて登録する分類基準登録手段を更に備え、取得画像分類基準は、関連付けられる取得画像から画像認識処理により取得したテキスト情報を構成する単語を含む構成を採用できる。
この構成によれば、分類基準登録手段は、取得画像と取得画像から文字認識処理により取得したテキスト情報を構成する単語とを関連付けて記憶部に登録するため、取得画像を取得画像の表現する特定の単語に基づいて分類できる。
【００１７】
上記構成において、取得画像分類基準は、取得画像が会議において投影された時間区間である投影区間を含む構成を採用できる。
この構成によれば、分類基準登録手段は、投影区間と取得画像とを関連付けて記憶部に登録するため、特定の時刻に会議において投影されていた画像を知ることができるだけでなく、逆に特定の取得画像の投影されていた時間区間を知ることができる。
【００１８】
上記構成において、画像音声登録手段は、取得画像と取得画像を基に作成されたサムネイルを関連付けて記憶部に登録する構成を採用できる。
この構成によれば、画像音声登録手段はサムネイルと取得画像とを関連付けて記憶部に登録するため、サムネイルに基づいて取得画像を特定できる。
【００１９】
本発明に係る会議システムは、会議において取得された音声である取得音声と取得音声を取得した時刻である音声取得時刻とを関連付け、会議において投影された画像であって会議において取得した画像である取得画像と取得画像を取得した時刻である画像取得時刻とを関連付け、かつ取得音声と取得画像とを音声取得時刻及び画像取得時刻に基づいて関連付けて、記憶部に登録する画像音声登録手段と、取得画像へのアクセスを要求するユーザを認証し、かつ識別する情報であるユーザ認証情報に基づいてユーザ認証する認証手段と、取得画像を表示する表示手段と、画像音声登録手段が記憶部に登録した取得画像を検索する検索手段とを備え、画像音声登録手段は、ユーザ認証情報で識別されるユーザが、取得画像へアクセスを許可される条件を表した情報であるアクセス制限情報と、アクセス対象とされる取得画像と、を関連付けて記憶部に登録し、検索手段は、前記認証手段により認証されたユーザがアクセスを許可された取得画像をアクセス制限情報に基づいて検索し、表示手段は、検索手段で検索された取得画像を表示することを特徴としている。
この構成によれば、検索手段は、取得画像分類基準のみならずアクセス制限情報、及び認証されたユーザのユーザ認証情報にも基づいて検索するため、ユーザが閲覧を要求し、かつアクセスを許可される画像のみを検索できる。よって、ユーザはユーザ認証情報のみを管理すればよく、一例として、会議毎に異なるパスワードを発行する場合と比べて、異なる複数のパスワードを管理する負担を軽減しながらも、複数の会議において取得された画像を検索できる。
【００２０】
上記構成において、アクセス制限情報は、取得画像に対してアクセスを許可されるユーザのユーザ識別情報、又は取得画像に対してアクセスを拒否されるユーザのユーザ識別情報のいずれか一方を表す構成を採用できる。
この構成によれば、アクセス制限情報はユーザ識別情報で表されるため、取得画像へのアクセスが許可されるユーザをユーザ識別情報により個別に特定できる。よって、取得画像に含まれる機密情報の開示を許可するユーザを個別に特定できる。
【００２１】
上記構成において、アクセス制限情報は、取得画像に対してアクセスを許可される複数のユーザで構成されるユーザグループを識別する情報、又は取得画像に対してアクセスを拒否される１又は複数のユーザで構成されるユーザグループを識別する情報のいずれか一方を表す構成を採用できる。
この構成によれば、アクセス制限情報は複数のユーザで構成されるユーザグループを識別する情報で表されるため、取得画像へのアクセスが許可されるユーザをユーザグループの識別情報により一括に特定できる。よって、取得画像に含まれる機密情報を管理する管理者の労力を軽減できる。
【００２２】
上記構成において、アクセス制限情報は、取得画像に対するアクセスを許可するか否かを表すアクセス許否情報を含む構成を採用できる。
この構成によれば、画像音声登録手段は、取得画像とアクセス許否を表す情報とを関連付けて記憶部に登録するため、一例として、取得画像とアクセスの許可のみを表す情報とを関連付けて記憶部に登録する場合と比べて、アクセスを許可する条件に対する記載の自由度が向上する。
【００２３】
上記構成において、アクセス制限情報は、アクセス許否情報の有効期間を含むことを特徴とする構成を採用できる。
この構成によれば、画像音声登録手段は、アクセス許否を表す情報のみならず有効期間をも取得画像と関連付けて記憶部に登録するため、アクセスを許可する条件に対する記載の自由度が向上する。
【００２４】
上記構成において、アクセス制限情報は、取得画像又は取得画像の内容を開示することが許される範囲である開示可能範囲を含み、
表示手段は、検索手段により検索された取得画像に関連付けられた開示可能範囲を表示する構成を採用できる。
この構成によれば、表示手段は、取得画像の開示可能範囲を表示する。よって、ユーザは、取得画像の開示可能範囲を容易に知ることができる。
【００２５】
上記構成において、取得画像と、取得画像について分類をする基準である取得画像分類基準と、を関連付けて登録する分類基準登録手段を更に備え、取得画像分類基準は、関連付けられる取得画像から画像認識処理により取得したテキスト情報を構成する単語を含み、検索手段は、取得画像分類基準に基づいて取得画像を検索する構成を採用できる。
この構成によれば、検索手段は、取得画像から文字認識処理により取得したテキスト情報を構成する単語に基づいて取得画像を検索できるため、取得画像に記載された単語を手がかりとして取得画像を検索できる。
【００２６】
上記構成において、画像音声登録手段は、取得画像と取得画像を基に作成されたサムネイルを関連付けて記憶部に登録し、表示手段は、検索手段により検索された取得画像に関連付けられたサムネイルを一覧表示する構成を採用できる。
この構成によれば、表示手段は、認証されたユーザが検索した取得画像に基づいて生成されたサムネイルを一覧表示するため、一見して所望の取得画像を特定できる。
【００２７】
上記構成において、取得画像分類基準は、取得画像が会議において投影された時間区間である投影区間を含み、表示手段に表示する取得画像の投影区間において取得された取得音声を出音する出音手段を更に備える構成を採用できる。
この構成によれば、出音手段は、記憶部に登録された音声を表示部に表示される取得画像と投影区間と言う時間区間に基づいて同期させて出音するため、会議に出席しなかった者や会議の内容を再確認しようとする者等が会議の内容を容易に参照できる。
【００２８】
上記構成において、アクセス制限情報を入力する入力手段と、取得画像に関連付けて記憶部に登録されたアクセス制限情報を、入力手段で入力されたアクセス制限情報で変更登録するアクセス情報変更登録手段とを更に備える構成を採用できる。
この構成によれば、アクセス情報変更登録手段は、一旦登録されたアクセス制限情報を変更登録するため、一例として、ユーザの役職の変更等により生じるユーザのアクセス権限の変更に対応できる。
【００２９】
上記構成において、入力手段は、表示手段の表示するサムネイルを選択する選択信号を入力し、アクセス情報変更登録手段は、入力手段で入力された選択信号で選択されたサムネイルに関連付けられた取得画像のアクセス制限情報を変更登録する構成を採用できる。
この構成によれば、アクセス情報変更登録手段は、アクセス制限情報が関連付けられた取得画像単位でアクセス制限情報を変更登録できるため、一例として、会議後に公然と知られるに至った情報のみを含む取得画像のアクセス制限を解除できる。
【００３０】
上記構成において、会議を識別する情報である会議識別情報と、会議の開始時刻及び終了時刻で表される開催時間区間と、会議において取得された取得画像に対するアクセス制限情報と、を関連付けて記憶部に登録するアクセス情報登録手段を更に備え、画像音声登録手段が取得画像に関連付けるアクセス制限情報は、アクセス情報登録手段により記憶部に登録されたアクセス制限情報であって、取得画像を取得した時刻が属する開催時間区間に関連付けられたアクセス制限情報である構成を採用できる。
この構成によれば、画像音声登録手段は、アクセス情報登録手段により会議毎に登録されたアクセス制限情報を取得画像と関連付けて記憶部に登録するため、取得画像の数が増加したとしても一括にアクセス制限情報を定めることができる。よって一例として、取得画像毎にアクセス制限情報を個別に定めて登録する場合と比べて、取得画像の有する機密情報を管理する管理者の労力を軽減できる。
【００３１】
上記構成において、入力手段は、記憶部に登録される取得画像に関連付けられるアクセス制限情報を指示する指示信号と、指示信号が指示するアクセス制限情報と、を入力し、指示信号は、記憶部に登録される取得画像に関連付けられるアクセス制限情報を、アクセス情報登録手段が開催時間区間と関連付けて記憶部に登録したアクセス制限情報に代えて、指示信号が指定するアクセス制限情報とするよう指示する信号であり、画像音声登録手段は、入力手段で入力された指示信号に従ってアクセス制限情報と取得画像とを関連付けて記憶部に登録する構成を採用できる。
この構成によれば、画像音声登録手段は、入力手段が入力したアクセス制限情報を取得画像に関連付ける。よって、会議識別情報及び開催時間区間と関連付けて一旦記憶部に登録したアクセス制限情報のみに関連付けれられて取得画像が登録される場合と比べて、アクセス制限情報を設定するユーザの労力を軽減でき、利便性が向上する。特に、一例として、開催時間区間が未定の場合、又は既に会議が開始している場合に、容易且つ迅速にアクセス制限情報を設定できる。
【００３２】
本発明に係る情報処理方法は、会議において取得された音声である取得音声と取得音声を取得した時刻である音声取得時刻とを関連付け、会議において投影された画像であって会議において取得した画像である取得画像と取得画像を取得した時刻である画像取得時刻とを関連付け、かつ取得音声と取得画像とを音声取得時刻及び画像取得時刻に基づいて関連付けて、記憶部に登録する画像音声登録ステップと、取得画像へのアクセスを要求するユーザを認証し、かつ識別する情報であるユーザ認証情報に基づいてユーザ認証する認証ステップとを備え、画像音声登録ステップは、ユーザ認証情報で識別されるユーザが、取得画像へアクセスを許可される条件を表した情報であるアクセス制限情報と、アクセス対象とされる取得画像と、を関連付けて記憶部に登録することを特徴としている。
この構成によれば、認証手段はユーザ認証情報に基づいてユーザ認証し、画像音声登録手段は取得画像とアクセス制限情報とを関連付けて記憶部に登録するので、認証されたユーザがアクセスを許可される取得画像を、ユーザ認証情報と登録されたアクセス制限情報とに基づいて特定できる。よって、ユーザはユーザ認証情報のみを管理すればよく、一例として、会議毎に異なるパスワードを発行する場合と比べて、異なる複数のパスワードを管理する負担を軽減できる。
また、ユーザのアクセスできる画像の管理をアクセス制限情報により一元管理できるため、ユーザの役職の変更等により生じるアクセス権限の変更に柔軟に対応できる。
【００３３】
本発明に係る情報処理プログラムは、コンピュータに、会議において取得された音声である取得音声と取得音声を取得した時刻である音声取得時刻とを関連付け、会議において投影された画像であって会議において取得した画像である取得画像と取得画像を取得した時刻である画像取得時刻とを関連付け、かつ取得音声と取得画像とを音声取得時刻及び画像取得時刻に基づいて関連付けて、記憶部に登録する画像音声登録ステップと、取得画像へのアクセスを要求するユーザを認証し、かつ識別する情報であるユーザ認証情報に基づいてユーザ認証する認証ステップとを実行させるためのプログラムであって、画像音声登録ステップは、ユーザ認証情報で識別されるユーザが、取得画像へアクセスを許可される条件を表した情報であるアクセス制限情報と、アクセス対象とされる取得画像と、を関連付けて記憶部に登録することを特徴としている。
この構成によれば、認証手段はユーザ認証情報に基づいてユーザ認証し、画像音声登録手段は取得画像とアクセス制限情報とを関連付けて記憶部に登録するので、認証されたユーザがアクセスを許可される取得画像を、ユーザ認証情報と登録されたアクセス制限情報とに基づいて特定できる。よって、ユーザはユーザ認証情報のみを管理すればよく、一例として、会議毎に異なるパスワードを発行する場合と比べて、異なる複数のパスワードを管理する負担を軽減できる。
また、ユーザのアクセスできる画像の管理をアクセス制限情報により一元管理できるため、ユーザの役職の変更等により生じるアクセス権限の変更に柔軟に対応できる。
【発明の効果】
【００３４】
本発明によれば、ユーザの負担を軽減したアクセス制御機能を備える情報処理装置、会議システム、情報処理方法、及び情報処理プログラムを提供できる。
【発明を実施するための最良の形態】
【００３５】
以下、本発明の最良の実施形態について、添付図面を参照しつつ説明する。
【実施例１】
【００３６】
図１は本発明の会議システムの第１の実施形態を示す構成図である。
本発明の会議システムは、情報処理装置１００、入力手段である第１入力装置１６０及び第２入力装置２１０、表示手段である第１表示装置１７０及び第２表示装置２２０、出音手段である第１出音装置１８０及び第２出音装置２３０、遠隔端末装置２００、並びにそれぞれ会議の開催される会場（会議室４０１ないし４０ｎ）毎に少なくとも１組設置される画像生成装置１１０、音声取得装置１２０、映像取得装置１３０、画像表示装置１４０、及び音声画像取込装置１５０で構成されている。
【００３７】
情報処理装置１００は、例えば、パーソナルコンピュータで構成される。情報処理装置１００は、音声画像読込装置１５０、第１入力装置１６０、第１表示装置１７０、第１出音装置１８０、及び、遠隔端末装置２００に接続している。尚、情報処理装置１００と遠隔端末装置２００とは、ネットワーク３００を介して接続している。情報処理装置１００の機能及び構成については後述する。
【００３８】
画像生成装置１１０は、例えば、会議における説明者等の持込んだノートパソコン又は会議室４０１ないし４０ｎに予め設置されたパーソナルコンピュータ等で構成され、音声画像取込装置１５０に取外し可能に接続している。
【００３９】
画像生成装置１１０は、会議において説明対象とする画像を予め記憶し、記憶している画像に基づいて、例えばＲＧＢ信号等の画像信号を生成する。その後、画像生成装置１１０は、生成した画像信号を音声画像取込装置１５０に送信する。
【００４０】
音声取得装置１２０は、例えば、マイクロフォン等で構成され、音声画像取込装置１５０に接続している。音声取得装置１２０は、会議における音声を取得して音声信号を音声画像取込装置１５０に送信する。
【００４１】
映像取得装置１３０は、例えば、デジタルカメラ、ウェブカメラ、デジタルビデオカメラ等で構成され、音声画像取込装置１５０に接続している。
【００４２】
映像取得装置１３０は、画像表示装置１４０が表示する画像を少なくとも撮影可能に設置されている。具体的には、スクリーンに表示した資料に対して、発話者がポインティングデバイス等によってポインティングしている映像を撮影する。
映像取得装置１３０は、会議における映像を取得して映像信号を音声画像取込装置１５０に送信する。
【００４３】
画像表示装置１４０は、例えば、プロジェクタ又はプラズマディスプレイ等で構成され、音声画像取込装置１５０に接続している。画像表示装置１４０は画像生成装置１１０から出力された画像信号であって、音声画像取込装置１５０を介して入力された画像信号をスクリーンなどへ投影するか、又は自ら備える表示面へ表示する。
【００４４】
音声画像読込装置１５０は、例えば、図示は省略するが、ＣＰＵ等の演算装置、ＲＡＭ等の記憶装置、及び、演算装置により実行され記憶装置に記憶された情報を処理するプログラム等で構成されている。音声画像読込装置１５０は、画像生成装置１１０、音声取得装置１２０、映像取得装置１３０、画像表示装置１４０、及び情報処理装置１００に接続している。
【００４５】
音声画像読込装置１５０は、図示は省略するが、例えば、ＲＡＭ等の記憶装置を有し、音声画像読込装置１５０に接続された音声取得装置１２０及び映像取得装置１３０が音声又は映像を取得した会議が開催された会場を識別する情報（以下単に、会場識別情報と言う）を、予め記憶装置に記憶している。
【００４６】
音声画像読込装置１５０は、画像生成装置１１０から画像信号を受信する。この後、受信した画像信号を画像表示装置１４０へ送信する。
この構成によれば、例えば、ユーザが所持するノートパソコンである画像生成装置１１０に予め記憶された画像を画像表示装置１４０に表示させることができる。
【００４７】
また、音声画像読込装置１５０は、受信した画像信号から、例えば、ＪＰＥＧフォーマット等の画像データを生成する。尚、会議において投影された画像であって会議において音声画像読込装置１５０により取得した画像を取得画像と言う。
【００４８】
次に、音声画像読込装置１５０は、取得した取得画像、取得画像を取得した時刻である画像取得時刻、及び会場識別情報を関連付けて情報処理装置１００へ送信する。
【００４９】
ここで、音声画像読込装置１５０は、所定の時間間隔で画像信号から画像データを生成する。またこれに限られず、音声画像読込装置１５０は、画像信号に変化が生じた場合にのみ映像信号から画像データを生成する構成を採用できる。
【００５０】
具体的には、２つの画像データにおける各画素が変化したか否かを判断し、変化した画素が所定の閾値以上存在する場合に、２つの画像データは異なると判断する。尚、画素が変化したか否かについては、各画素のＲＧＢ値の差分が所定の閾値以上の場合に当該画素は変化したと判断する。
【００５１】
また音声画像読込装置１５０は、音声取得装置１２０から音声信号を入力され、入力れた音声信号から、例えば、ＭＰ３フォーマット等の音声データを生成する。尚、音声画像読込装置１５０で会議において取得された音声を取得音声と言う。
【００５２】
次に、音声画像読込装置１５０は、取得した取得音声を、上記画像信号に基づいて画像データを生成するタイミングで音声データを分割する。
【００５３】
その後、音声画像読込装置１５０は、取得した取得音声、取得音声を取得した時刻である音声取得時刻、及び会場識別情報を関連付けて情報処理装置１００へ送信する。
【００５４】
更に音声画像読込装置１５０は、映像取得装置１３０から映像信号を入力され、入力れた映像信号から、例えば、ＭＰＥＧフォーマット等の映像データを生成する。尚、音声画像読込装置１５０において取得した映像を取得映像と言う。次に、音声画像読込装置１５０は、取得した映像データを、上記画像信号に基づいて画像データを生成するタイミングで映像データを分割する。
【００５５】
次に、音声画像読込装置１５０は、取得した取得映像、取得映像を取得した時刻である映像取得時刻、及び会場識別情報を関連付けて情報処理装置１００へ送信する。
【００５６】
第１入力装置１６０は、例えば、キーボード、マウス、又は、タッチパネル等で構成され、情報処理装置１００に接続している。第１入力装置１６０は、ユーザに操作されてアクセス制限情報、検索キー、又は各種の命令を入力する。尚、アクセス制限情報については後述する。
【００５７】
第１表示装置１７０は、例えば、液晶ディスプレイ、プラズマディスプレイ、又は、ＣＲＴ（Cathode Ray Tube）ディスプレイ等で構成され、情報処理装置１００に接続している。第１表示装置１７０は、情報処理装置１００により制御されて、会議中に画像生成装置１１０から入力された画像信号により取得した画像である取得画像、取得画像に基づいて生成されたサムネイル、及び取得映像等を表示する。尚、第１表示装置１７０の表示する取得画像、サムネイル、及び取得映像については後述する。
【００５８】
第１出音装置１８０は、例えば、スピーカ等で構成され、情報処理装置１００に接続している。第１出音装置１８０は、情報処理装置１００により制御されて、会議中に音声取得装置１２０から入力された音声信号により取得した音声である取得音声を出音する。
【００５９】
ネットワーク３００は、ＬＡＮ、ＷＡＮ、又は、インタネット等で構成され、情報処理装置１００と遠隔端末装置２００とに接続している。
【００６０】
遠隔端末装置２００は、例えば、パーソナルコンピュータ等で構成され、入力手段である第２入力装置２１０、表示手段である第２表示装置２２０、出音手段である第２出音装置２３０に接続している。
【００６１】
遠隔端末装置２００は、第２入力手段から受領したアクセス制限情報、検索キー及び各種信号等をネットワーク３００を介して情報処理装置１００へ送信する。また、遠隔端末装置２００は、ネットワーク３００を介して情報処理装置１００の送信する制御情報を受信し、受信した制御情報に従って、第２表示装置２２０の表示、及び、第２出音装置２３０の出音を制御する。
【００６２】
第２入力装置２１０、第２表示装置２２０、及び、第２出音装置２３０は、遠隔端末に接続している。
第２入力装置２１０、第２表示装置２２０、及び、第２出音装置２３０の構成及び機能については、第１入力装置１６０、第１表示装置１７０、及び、第１出音装置１８０と同様であるため、説明を省略する。
【００６３】
尚、第１入力装置１６０と第２入力装置２１０とを以下単に、入力装置１６０等と言い、第１表示装置１７０と第２表示装置２２０とを以下単に、表示装置１７０等と言い、第１出音装置１８０と第２出音装置２３０とを以下単に、出音装置１８０等と言う。
【００６４】
次に、図２を参照して本発明に係る情報処理装置の一構成例について説明する。図２は本発明の情報処理装置の一実施形態を示すブロック図である。
【００６５】
情報処理装置１００は、記憶部１０１０、画像音声登録手段である画像音声登録部１０２０、テキスト抽出部１０３０、分類基準登録手段である分類基準登録部１０４０、アクセス情報登録手段であるアクセス権付与部１０５０、閲覧部１０６０、入出力制御部１０７０、及び通信部１０８０で構成される。
【００６６】
図２に示す画像音声登録部１０２０、テキスト抽出部１０３０、分類基準登録部１０４０、アクセス権付与部１０５０、閲覧部１０６０、及び入出力制御部１０７０の各機能は、情報処理装置１００が実行するソフトウェア制御により実現できる。
【００６７】
ここで図３を参照して、ソフトウェア制御を実行するための情報処理装置１００の構成について説明する。図３は、このソフトウェア制御を実現するための情報処理装置１００の一構成例を表す構成図である。
【００６８】
情報処理装置１００は、例えば、ＣＰＵ（Central Processing Unit）等の演算装置１０１、ＥＰＲＯＭ（Erasable Programmable Read-Only Memory）又はＥＥＰＲＯＭ（Electrically Erasable Programmable Read-Only Memory）等の読み出し専用メモリであるＲＯＭ１０２（Read-Only Memory ）、ＤＲＡＭ（Dynamic  RAM）又はＳＲＡＭ（Static  RAM）等の揮発性メモリ及びＮＶＲＡＭ（Non Volatile RAM）等の不揮発性メモリで構成されるＲＡＭ１０３（Random Access Memory）、並びにＩ／Ｏポート（Input/Output Port）で構成され、演算装置１０１、ＲＯＭ１０２、ＲＡＭ１０３、及びＩ／Ｏポートは互いにバス１０５によって接続している。
【００６９】
ソフトウェア制御は、ＲＯＭ１０２に格納したプログラムをＣＰＵ１０１が読み、読込んだプログラムに従ってＣＰＵ１０１が演算を行うことにより上記各部の機能を実現する。なお、ＲＡＭ１０３には、演算結果のデータが書き込まれ、特にＮＶＲＡＭには、電源オフ時にバックアップが必要なデータが保存される。
【００７０】
ここで、図２に戻り、情報処理装置１００の構成について説明する。
記憶部１０１０は、例えば、ハードディスク、フレキシブルディスク、ＭＯ（Ｍａｇｎｅｔｏ  Ｏｐｔｉｃａｌ  Ｄｉｓｃ）、ＤＶＤ（Ｄｉｇｉｔａｌ  Ｖｅｒｓａｔｉｌｅ  Ｄｉｓｃ）、又はフラッシュメモリ等で構成される外部記憶装置で構成されている。
【００７１】
記憶部１０１０には、例えば、ＭｙＳＱｌ又はＰｏｓｔｇｅＳＱＬ等のデータベース・マネジメント・システムを実現するためのプログラムが記憶され、記憶されたプログラムによりアクセス情報データベース１０１１、音声画像データベース１０１２、インデックスデータベース１０１３、及びユーザ情報データベース１０１４が管理及び維持されている。
【００７２】
アクセス情報データベース１０１１は、アクセス権付与部１０５０及び画像音声登録部１０２０に接続している。
アクセス情報データベース１０１１は、アクセス権付与部１０５０により、会議を識別するための情報である会議識別情報と、会議の開始時刻及び終了時刻で表される時間区間である開催時間区間と、会議の会場識別情報と、会議において取得された取得画像に対するアクセス制限情報と、を同一レコードに関連付けて登録される。
【００７３】
尚、アクセス制限情報は、ユーザ認証情報で識別されるユーザが取得画像へアクセスを許可される条件を表した情報である。特に、本実施例において、アクセス制限情報は、取得画像に対してアクセスを許可されるユーザのユーザ識別情報、又は取得画像に対してアクセスを拒否されるユーザのユーザ識別情報のいずれか一方を表す。尚、ユーザ識別情報とは、ユーザを識別するための情報であって、例えば、ユーザＩＤ等を言う。
【００７４】
具体的には、アクセス制限情報は、ＣＳＶ（Comma Separated Values）形式でアクセスを許可（又は不許可）する１又は複数のユーザ識別情報を記述する。
【００７５】
この構成によれば、アクセス制限情報はユーザ識別情報で表されるため、取得画像へのアクセスが許可されるユーザをユーザ識別情報により個別に特定できる。よって、取得画像に含まれる機密情報の開示を許可するユーザを個別に特定できる。
【００７６】
ここで、アクセス情報データベース１０１１の有するテーブルであって、アクセス権付与部１０５０により上記情報を登録されるテーブルを以下の表１に示す。
【００７７】
【表１】
2007334832.tif 000003
【００７８】
表１は、スケジュールＩＤカラム、日時カラム、会議室ＩＤカラム、及びユーザＩＤカラムを有している。
スケジュールＩＤカラムは会議識別情報を、日時カラムは開催時間区間を、会議室ＩＤカラムは会場識別情報を、及びユーザＩＤカラムはアクセス制限情報を登録される。尚、表１には、会議識別情報が重複するレコード、並びに開催時間区間及び会場識別情報の双方が重複するレコードが登録されることはない。
【００７９】
具体的には、表１の有するレコードは、会議識別情報「Ｓ１２３」、及びアクセス制限情報「Ｐ００１，Ｐ００３，Ｐ００４」を蓄積している。つまり、会議識別情報である「Ｓ１２３」で識別される会議で取得された取得画像には、ユーザ識別情報「Ｐ００１」、「Ｐ００３」、及び「Ｐ００４」で識別されるユーザ又はそれ以外のユーザのみがアクセスを許可されることを表している。
【００８０】
音声画像データベース１０１２は、画像音声登録部１０２０及び閲覧部１０６０に接続している。
音声画像データベース１０１２は、画像音声登録部１０２０により、取得音声、取得画像、及び取得映像（以下単に、取得画像等と言う）を識別する情報であるデータ識別情報、データ識別情報で識別される取得画像等を保存した保存先、取得画像等を取得した会議の会場識別情報及び開催時間区間、並びに取得画像のアクセス制限情報を同一レコードに関連付けて登録される。
また、音声画像データベース１０１２は、閲覧部１０６０が検索する際に参照される。
【００８１】
ここで、音声画像データベース１０１２の有するテーブルであって、画像音声登録部１０２０により上記情報を登録されるテーブルを以下の表２に示す。
【００８２】
【表２】
2007334832.tif 000004
【００８３】
表２は、データＩＤカラム、保存先ＵＲＬカラム、場所名カラム、日時カラム、及びユーザＩＤカラムを有している。
データＩＤカラムはデータ識別情報を、保存先ＵＲＬカラムは取得画像等を保存した保存先をＵＲＬを用いて表す情報を、場所名カラムは会場識別情報を、日時カラムは画像取得時刻を、及びユーザＩＤカラムはアクセス制限情報を登録される。
【００８４】
尚、表２には、データ識別情報が重複するレコード、並びに画像取得時刻及び会場識別情報の双方が重複するレコードが登録されることはない。
【００８５】
具体的には、表２のデータ識別情報である「３９」で識別される会議で取得された取得画像は、会場識別情報「会議室Ａ」で識別される会場で取得され、取得画像の取得時刻は「２００５年１２月１３日の１３時０５分１２秒」であり、かつ取得画像にはユーザ識別情報「Ｐ００１」、「Ｐ００３」、及び「Ｐ００４」で識別されるユーザ又はそれ以外のユーザのみがアクセスを許可されることを表している。
【００８６】
インデックスデータベース１０１３は、分類基準登録部１０４０及び閲覧部１０６０に接続している。
インデックスデータベース１０１３は、分類基準登録部１０４０により、データ識別情報及び取得画像について分類をする基準である取得画像分類基準を関連を同一レコードに関連付けて登録される。また、インデックスデータベース１０１３は、閲覧部１０６０が検索する際に参照される。
【００８７】
尚、取得画像分類基準は、データ識別情報で識別される取得画像から画像認識処理により取得したテキスト情報を構成する１又は複数の単語、並びに取得画像が会議において投影された時間区間である投影区間を含む。
【００８８】
尚、データ識別情報及び単語を登録するインデックスデータベース１０１３の有するテーブルには、重複するデータ識別情報を登録したレコードが登録されることはあるが、データ識別情報及び単語、並びにデータ識別情報及び投影区間の双方が重複するレコードは登録されない。
【００８９】
ユーザ情報データベース１０１４は、閲覧部１０６０に接続している。
ユーザ情報データベース１０１４は、取得画像へのアクセスを要求するユーザを認証し、かつ識別する情報であるユーザ認証情報を蓄積する。
【００９０】
具体的には、ユーザ認証情報は、ユーザ識別情報とパスワードとを組合せた情報を言う。つまり、ユーザ情報データベース１０１４は、ユーザ識別情報とパスワードとを関連付けて同一レコードに記憶する。
ユーザ情報データベース１０１４は、閲覧部１０６０がユーザ認証を行う際に参照される。
【００９１】
画像音声登録部１０２０は、音声画像取込装置１５０、アクセス情報データベース１０１１、音声画像データベース１０１２、及びテキスト抽出部１０３０に接続している。
【００９２】
画像音声登録部１０２０は、音声画像取込装置１５０から、取得画像、画像取得時刻及び会場識別情報を関連付けた情報、取得音声、音声取得時刻及び会場識別情報を関連付けた情報、並びに取得映像、映像取得時刻及び会場識別情報を関連付けた情報を取得する。
【００９３】
画像音声登録部１０２０は、取得した取得画像を基にサムネイルを作成する。
次に、画像音声登録部１０２０は、同一の画像取得時刻、映像取得時刻、及び音声取得時刻で関連付けられた取得音声、取得画像、及び取得映像を識別する情報であるデータ識別情報を生成する。
【００９４】
その後、記憶部１０１０の所定のディレクトリの直下にデータ識別情報で表されるディレクトリを作成し、作成したディレクトリ内にデータ識別情報で識別される取得時刻で関連付けられた取得音声、取得画像、及び取得映像、並びに取得画像を基に作成されたサムネイルを保存する。
【００９５】
つまり、画像音声登録部１０２０は、取得音声と音声取得時刻とを関連付け、取得画像と画像取得時刻とを関連付け、取得映像と映像取得時刻とを関連付け、かつ取得音声と取得画像と取得映像とを音声取得時刻、画像取得時刻、及び映像取得時刻に基づいて関連付けて、記憶部１０１０に登録する。
また、画像音声登録部１０２０は、取得画像と取得画像を基に作成されたサムネイルとを関連付けて記憶部１０１０に登録する。
【００９６】
具体的には、画像音声登録部１０２０は、記憶部１０１０に保存された取得音声、取得画像、サムネイル及び取得映像は、それぞれ音声取得時刻、画像取得時刻、画像取得時刻及び映像取得時刻をタイムスタンプとする電子ファイルとして上記同一ディレクトリに関連付けて保存される。
【００９７】
この構成によれば、前記画像音声登録手段はサムネイルと取得画像とを関連付けて記憶部に登録するため、サムネイルに基づいて取得画像を特定できる。
【００９８】
次に、画像音声登録部１０２０は、取得した取得画像の画像取得時刻を含む開催時間区間、及び取得画像を取得した会場の会場識別情報を日時カラム、及び会議室ＩＤカラムに蓄積するレコードを、表１に示すアクセス情報データベース１０１１の有するテーブルから検索する。
尚、上記の検索処理は、例えば、ＳＱＬ等のＳＥＬＥＣＴ文を作成してデータベースマネジメントシステムに実行させることで実現できる。
【００９９】
次に、画像音声登録部１０２０は、検索したレコードが蓄積するアクセス制限情報を取得する。尚、検索条件に合致するレコードが存在しない場合には、アクセス制限情報はないものとする。つまり、全てのユーザに対してアクセスが許可される（又はされない）とする。
【０１００】
その後、画像音声登録部１０２０は、生成したデータ識別情報と、作成したディレクトリと、取得した会場識別情報と、取得した画像取得時刻と、取得したアクセス制限情報と、を同一レコードに関連付けて登録する。
【０１０１】
尚、上記の登録処理は、例えば、ＳＱＬ等のＩＮＳＥＲＴ文を作成してデータベースマネジメントシステムに実行させることで実現できる。
【０１０２】
つまり、画像音声登録部１０２０は、アクセス制限情報とアクセス対象とされる取得画像とを関連付けて記憶部１０１０に登録する。
更に、画像音声登録部１０２０が取得画像に関連付けるアクセス制限情報は、後述するアクセス権付与部１０５０により記憶部１０１０に登録されたアクセス制限情報であって、取得画像を取得した時刻が属する開催時間区間に関連付けられたアクセス制限情報である。
【０１０３】
この構成によれば、画像音声登録手段は、アクセス情報登録手段により会議毎に登録されたアクセス制限情報を取得画像と関連付けて記憶部に登録するため、取得画像の数が増加したとしても一括にアクセス制限情報を定めることができる。よって一例として、取得画像毎にアクセス制限情報を個別に定めて登録する場合と比べて、取得画像の有する機密情報を管理する管理者の労力を軽減できる。
【０１０４】
更にまた、画像音声登録部１０２０が取得画像に関連付けるアクセス制限情報は、後述するアクセス権付与部１０５０により記憶部１０１０に登録されたアクセス制限情報であって、取得画像を取得した会議の会場識別情報に関連付けられたアクセス制限情報でもある。
【０１０５】
この構成によれば、前記アクセス情報登録手段は、会議識別情報に対して開催時間区間のみならず会場識別情報をも関連付けて記憶部１０１０に登録する。よって、会議を開催した時間区間のみならず会議を開催した会場に基づいて会議を特定してアクセス制限情報を登録できる。
【０１０６】
また画像音声登録部１０２０は、取得画像と画像取得時刻と取得画像等を識別するデータ識別情報とを関連付けてテキスト抽出部１０３０へ送信する。
【０１０７】
ここで、図４を参照して、画像音声登録部１０２０の登録処理を説明する。図４は、画像音声登録部１０２０の登録処理の一例を表すフローチャートである。
【０１０８】
画像音声登録部１０２０は、画像取得時刻及び会場識別情報に関連付けられた取得画像等を取得する（ステップＳＴ００１）。
具体例として、画像音声登録部１０２０は、画像取得時刻「２００５年１２月１３日，１３時５分１２秒」及び会場識別情報「会議室Ａ」に関連付けられた取得画像等を取得した場合について説明する。
【０１０９】
画像音声登録部１０２０は、ステップＳＴ００１で取得した取得画像が取得された会議に関する情報がアクセス情報データベース１０１１に登録されているかを判断する（ステップＳＴ００２）。画像音声登録部１０２０は、会議に関連付けられたアクセス制限情報がアクセス情報データベース１０１１に登録されていると判断する場合にはステップＳＴ００３の処理を、そうでない場合にはステップＳＴ００４の処理を実行する。
【０１１０】
具体的には、画像音声登録部１０２０は、表１に示すアクセス情報データベース１０１１の有するテーブルから画像取得時刻「２００５年１２月１３日  １３時５分１２秒」を含む開催時間区間を日時カラムに蓄積し、かつ「会議室Ａ」を会議室ＩＤカラムに蓄積するレコードを検索する。画像音声登録部１０２０は、検索の結果、表１に示す会議識別情報をスケジュールＩＤカラムに蓄積するレコードを取得する。
【０１１１】
ステップＳＴ００２において、画像音声登録部１０２０は、会議に関する情報がアクセス情報データベース１０１１に登録されていると判断した場合には、取得画像等とアクセス制限情報とを同一レコードに関連付けて音声画像データベース１０１２に登録する（ステップＳＴ００３）。
【０１１２】
具体的には、画像音声登録部１０２０は、検索して取得したレコードがユーザＩＤカラムに蓄積するアクセス制限情報「Ｐ００１、Ｐ００３、Ｐ００４」を取得する。
【０１１３】
その後、画像音声登録部１０２０は、取得画像等を識別する情報であるデータ識別情報「３９」を生成する。また、画像音声登録部１０２０は、記憶部１０１０の所定のディレクトリ「http://aaa/data」の直下にデータ識別情報「３９」で表されるディレクトリ「http://aaa/data/39」を作成し、作成したディレクトリ内に取得画像等及び取得画像を基に作成されたサムネイルを保存する。
【０１１４】
次に、画像音声登録部１０２０は、データ識別情報「３９」と、ディレクトリ「http://aaa/data/39」と、会場識別情報「会議室Ａ」と、画像取得時刻「２００５年１２月１３日，１３時５分１２秒」と、アクセス制限情報「Ｐ００１、Ｐ００３、Ｐ００４」と、を同一レコード関連付けて表２の最下行に登録する。
【０１１５】
ステップＳＴ００２において、画像音声登録部１０２０は、会議に関する情報がアクセス情報データベース１０１１に登録されていないと判断した場合には、取得画像等のみを同一レコードに関連付けてを音声画像データベース１０１２に登録する（ステップＳＴ００４）。
【０１１６】
具体的には、画像音声登録部１０２０は、制御情報を空文字「""」又はＮＵＬＬ文字として、データ識別情報「３９」と、ディレクトリ「http://aaa/data/39」と、会場識別情報「会議室Ａ」と、画像取得時刻「２００５年１２月１３日，１３時５分１２秒」と、を同一レコードに関連付けて登録する。
【０１１７】
ステップＳＴ００３又はステップＳＴ００４を実行した後、画像音声登録部１０２０は、処理を終了する。
【０１１８】
ここで、図２に戻り、情報処理装置１００の構成について説明する。
テキスト抽出部１０３０は、例えば、ＯＣＲ（Optical Character Reader）装置等で構成される。テキスト抽出部１０８０は、画像音声登録部１０２０及び分類基準登録部１０４０に接続している。
【０１１９】
テキスト抽出部１０３０は、画像音声登録部１０２０から取得画像、画像取得時刻、及び取得画像等を識別するデータ識別情報を関連付けて取得する。
【０１２０】
テキスト抽出部１０３０は、取得した取得画像に対して文字認識処理を実施して抽出されたテキスト情報を取得する。その後、テキスト抽出部１０３０は、取得した取得画像と画像取得時刻とテキスト情報とデータ識別情報とを関連付けて分類基準登録部１０４０へ送信する。
【０１２１】
分類基準登録部１０４０は、テキスト抽出部１０３０及びインデックスデータベース１０１３に接続している。
分類基準登録部１０４０は、テキスト抽出部１０３０から取得画像と取得画像等を識別するデータ識別情報と取得画像から抽出されたテキスト情報とを関連付けて取得する。
【０１２２】
分類基準登録部１０４は、取得したテキスト情報に対して形態素解析により単語を抽出し、特に英語表記された文字列の場合には、空白部分で分割する等して文字列を抽出して単語を抽出する。
【０１２３】
また、分類基準登録部１０４０は、特定の取得画像の画像取得時刻と、その時刻の後であり、かつ直近の他の取得画像の画像取得時刻と、で区切られる時間区間であり、かつ取得画像が会議において投影された時間区間である投影区間を算出する。
【０１２４】
その後、分類基準登録部１０４０は、抽出した単語及び算出した投影区間を取得画像分類基準として、取得画像分類基準と取得したデータ識別情報とを関連付けてインデックスデータベース１０１３へ登録する。
【０１２５】
つまり、取得画像等はデータ識別情報に関連付けて記憶部１０１０の音声画像データベース１０１２に登録されているので、分類基準登録部１０４０は、取得画像分類基準とデータ識別情報とを関連付けることで、取得画像分類基準と取得画像等とを、関連付けて記憶部１０１０に登録できる。
【０１２６】
この構成によれば、分類基準登録手段は、取得画像と取得画像から文字認識処理により取得したテキスト情報を構成する単語とを関連付けて記憶部に登録するため、取得画像を取得画像の表現する特定の単語に基づいて分類できる。
【０１２７】
またこの構成によれば、分類基準登録手段は、投影区間と取得画像とを関連付けて記憶部に登録するため、特定の時刻に会議において投影されていた画像を知ることができるだけでなく、逆に特定の取得画像の投影されていた時間区間を知ることができる。
【０１２８】
アクセス権付与部１０５０は、アクセス情報データベース１０１１に接続している。
アクセス権付与部１０５０は、入出力制御部１０７０を介して表示装置１７０等にアクセス設定画面ＦＡＳを表示させる。アクセス設定画面ＦＡＳとは、ユーザがアクセス制限情報等を設定する際に表示される画面である。
【０１２９】
また、アクセス権付与部１０５０は、入出力制御部１０７０を介して、ユーザが入力装置１６０等を操作して入力したアクセス制限情報等を取得する。
【０１３０】
その後、アクセス権付与部１０５０は、会議識別情報と開催時間区間と会場識別情報と会議において取得された取得画像に対するアクセス制限情報とを同一レコードに関連付けて登録する。
【０１３１】
ここで、図５を参照して、実施例１において表示装置１７０等が表示するアクセス設定画面ＦＡＳについて説明する。図５は、実施例１において表示装置１７０等が表示するアクセス設定画面ＦＡＳの一例を表す図である。
【０１３２】
アクセス設定画面ＦＡＳは、設定アクセス権限領域ＡＡ、アクセス権限付与ボタンＢＴＡ、及び設定クリアボタンＢＴＣを有している。
設定アクセス権限領域ＡＡは、入力装置１６０等で入力されたアクセス制限情報及び会議の書誌的情報を表示する領域である。
【０１３３】
アクセス権限付与ボタンＢＴＡは、設定アクセス権限領域ＡＡに表示された情報をアクセス情報データベース１０１１に登録することをアクセス権付与部１０５０に命令ずる信号を、入力装置１６０等により入力できることを表すボタン表示である。
【０１３４】
設定クリアボタンＢＴＣは、入力装置１６０等で入力されたアクセス制限情報及び会議の書誌的情報を取消すことを命令ずる信号を、入力装置１６０等により入力できることを表すボタン表示である。
【０１３５】
設定アクセス権限領域ＡＡは、開始日付テキストボックスグループＧＤ、開始時刻グループＧＴ、場所テキストボックスＴＢＡ、及びアクセス制限情報メモボックスＭＡＣを有する。
【０１３６】
開始日付テキストボックスグループＧＤは、ユーザが入力装置１６０等を操作することで入力した会議の開始日付を表示する。
開始時刻グループＧＴは、ユーザが入力装置１６０等を操作することで入力した会議の開始時刻及び終了時刻（つまり開催時間区間）を表示する。
【０１３７】
場所テキストボックスＴＢＡは、ユーザが入力装置１６０等を操作することで入力した会議の開催場所の会場識別情報を表示する。
アクセス制限情報メモボックスＭＡＣは、ユーザが入力装置１６０等を操作することで入力したアクセス制限を表示する。
【０１３８】
尚、アクセス権付与部１０５０及び閲覧部１０６０が表示装置１７０等に表示させるアクセス設定画面ＦＡＳ、後述するログイン画面ＦＬＧ、閲覧画面ＦＶ、及びアクセス権変更画面ＦＡＧの画面形状及び動作機能は、例えば、ＨＴＭＬ（HyperText Markup Language ）等の構造化言語を用いて記述されたソースコードによって予め定められており、かつインタネットエクスプローラ等のウェブ・ブラウザにより、ソースコードに基づいた画面形状及び動作機能が実現される。
【０１３９】
この構成によれば、ＨＴＭＬ等の構造化言語は、一般にテキスト文字列と単純なタグとを用いて画面形状及び機能を記述できるため、一例として、ホストにおいて表示された画面表示の一部又は全部をクライアントへ送信するＶＮＣ（Virtual Network Computing）プロトコルを用いる場合と比べて、サーバ・クライアント間の通信量を軽減できる。よって、情報処理装置１００は、ネットワーク３００を介した遠隔端末装置２００へ、画面形状及びその機能を遅延が少なく送信及び提供できる。
【０１４０】
上記実施形態では、検索結果関連情報は構造化文書のＨＴＭＬ文書である場合について説明したが、これにこれに限定されるわけではなく、例えば、ＸＭＬ（ｅＸｔｅｎｓｉｂｌｅ  Ｍａｒｋｕｐ  Ｌａｎｇｕａｇｅ）、ＳＧＭＬ（Ｓｔａｎｄａｒｄ  Ｇｅｎｅｒａｌｉｚｅｄ  Ｍａｒｋｕｐ  Ｌａｎｇｕａｇｅ）、Ｔｅｘ、ＰＯＤ、ＲＤ、又は、ｒｅＳｔｒｕｃｔｕｒｅｄＴｅｘｔである構成を採用することも可能である。
【０１４１】
ここで、図６を参照して、アクセス権付与部１０５０の行なう登録処理について説明する。図６は、アクセス権付与部１０５０の行なう登録処理の一例を表すフローチャートである。
【０１４２】
先ず、ユーザは、例えば、キーボード等の入力装置１６０等を操作することで、会議の書誌的情報及びアクセス制限を直接に文字入力する。
【０１４３】
次に、アクセス権付与部１０５０は、入出力制御部１０７０を介して入力装置１６０等により入力された書誌的情報及びアクセス制限を取得する（ステップＳＴ１０１）。
【０１４４】
その後、ユーザは、図示は省略するが例えば、マウスポインタをアクセス権限付与ボタンＢＴＡに合わせた後にクリック等して信号を入力する。
【０１４５】
また、アクセス権付与部１０５０は、入出力制御部１０７０を介して入力装置１６０等から入力された書誌的情報及びアクセス制限をアクセス情報データベース１０１１に登録することを命令ずる信号を取得する（ステップＳＴ１０２）。
【０１４６】
次に、アクセス権付与部１０５０は、ステップＳＴ１０１で取得した書誌的情報に含まれる会場識別情報が完全に一致し、かつ開催時間区間がお互いに一部又は全部一致するレコードが、アクセス情報データベース１０１１に既に登録されているか否かを判断する（ステップＳＴ１０３）。そのようなレコードが既に登録されている場合にはステップＳＴ１０４を、そうでない場合にはステップＳＴ１０５の処理を実行する。
【０１４７】
ステップＳＴ１０３において、アクセス権付与部１０５０は、会場識別情報が完全に一致し、かつ開催時間区間がお互いに一部又は全部一致するレコードが既に登録されていないと判断した場合には、ステップＳＴ１０１で取得した書誌的情報及びアクセス制限を関連付けてアクセス情報データベース１０１１に登録する（ステップＳＴ１０４）。
【０１４８】
ステップＳＴ１０３において、アクセス権付与部１０５０は、会場識別情報が完全に一致し、かつ開催時間区間がお互いに一部又は全部一致するレコードが既に登録されていると判断した場合には、エラーメッセージを表示装置１７０等に表示するよう制御する（ステップＳＴ１０５）。
【０１４９】
ステップＳＴ１０４及びステップＳＴ１０５を実行した後、アクセス権付与部１０５０は、処理を終了する。
【０１５０】
上記実施例において、書誌的情報及びアクセス制限は、ユーザがキーボード等を操作することで直接に文字入力される場合について説明したが、これに限定される訳ではい。設定アクセス権限領域ＡＡが、選択可能な書誌的情報及びアクセス制限を選択肢として有するプルダウンメニュー又はリストボックスを有し、ユーザがキーボード又はマウス等を操作してプルダウンメニュー又はリストボックスの選択肢を選択することで、書誌的情報及びアクセス制限が選択入力される構成を採用できる。
【０１５１】
また上記実施例において、ユーザは会場識別情報を入力装置１６０等により入力し、アクセス権付与部１０５０は入力された会場識別情報をアクセス情報データベース１０１１に登録する場合について説明したが、これに限定される訳ではなく、音声画像取込装置１５０の設置される会議の会場が唯一つである場合には、ユーザは会場識別情報を入力せず、アクセス権付与部１０５０は会場識別情報をアクセス情報データベース１０１１に登録しない、又はデフォルトの会場識別情報を登録する構成を採用できる。
【０１５２】
ここで、図２に戻り、情報処理装置１００の構成について引き続き説明する。
閲覧部１０６０は、音声画像データベース１０１２、インデックスデータベース１０１３、ユーザ情報データベース１０１４、及び入出力制御部１０７０に接続している。
【０１５３】
閲覧部１０６０は、ユーザ認証情報に基づいてユーザ認証する機能である認証機能を提供する。
ここで、図７を参照して閲覧部１０６０が認証機能を提供する際に、入出力制御部１０７０を介して表示装置１７０等に表示させる認証画面について説明する。図７は、表示装置１７０等が表示する認証画面の一例を説明するための図である。
【０１５４】
図７の認証画面は、ログイン画面ＦＬＧと言う。ログイン画面ＦＬＧは、ユーザＩＤテキストボックスＴＢＩＤとパスワードテキストボックスＴＢＰＤとを有している。
【０１５５】
ユーザＩＤテキストボックスＴＢＩＤは、認証を求めるユーザが、入力装置１６０等を操作して入力したユーザ識別情報を表示する。
パスワードテキストボックスＴＢＰＤは、認証を求めるユーザが、入力装置１６０等を操作して入力したパスワードの文字数をアスタリスク「＊」の数で表示する。
【０１５６】
また、図２に戻り、情報処理装置１００の構成について引き続き説明する。尚、閲覧部１０６０が、認証機能を実現するための認証処理については後述する。
【０１５７】
閲覧部１０６０は、検索機能をも有する。検索機能とは、画像音声登録部１０２０が記憶部１０１０の音声画像データベース１０１２に登録した取得画像、取得音声、取得映像、及びサムネイルを検索する機能である。
【０１５８】
閲覧部１０６０は、認証されたユーザがアクセスを許可された取得画像をアクセス制限情報に基づいて音声画像データベース１０１２から検索する。また、閲覧部１０６０は、取得画像分類基準に基づいて作成した検索条件に基づいて取得画像を検索する。
【０１５９】
その後、閲覧部１０６０は、検索した取得画像に関連付けられたサムネイルを入出力制御部１０７０を介して表示装置１７０等に一覧表示するよう制御する。
【０１６０】
ここで、図８を参照して閲覧部１０６０が入出力制御部１０７０を介して表示装置１７０等にサムネイルを表示せる際に表示される閲覧画面ＦＶについて説明する。図８は、実施例１において表示装置１７０等が表示する閲覧画面ＦＶの一例を説明するための図である。
【０１６１】
閲覧画面ＦＶは、検索ワードテキストボックスＴＢＷ、検索ボタンＢＴＳ、及びサムネイルページコントロールＰＣを有する。
検索ワードテキストボックスＴＢＷは、ユーザが入力装置１６０等を操作して入力した検索キーワードを表示する。
検索ボタンＢＴＳは、検索ワードテキストボックスＴＢＷに表示された検索キーワードに基づいて検索条件を生成し、生成した検索条件に従って検索を行なうよう閲覧部１０６０へ命じる信号を入力できる事を表すボタン表示である。
【０１６２】
サムネイルページコントロールＰＣは、閲覧部１０６０の検索した取得画像に関連付けられたサムネイル等を、取得画像を取得した会議の会場毎に表示する。
【０１６３】
サムネイルページコントロールＰＣは、会場毎にサムネイル等を分類して表示するページを有する。更に、サムネイルページコントロールＰＣは、ページ毎に１つの場所タブＴＣを有し、ユーザがマウスポインタを場所タブＴＣに合わせクリックする等して選択することで、選択された場所タブＴＣに対応するページが表示される。
【０１６４】
具体的には、図８においては、サムネイルページコントロールＰＣは、「会議室Ａ」及び「会議室Ｂ」と表示する場所タブＴＣを有し、「会議室Ａ」と表示する場所タブＴＣに対応したページは、会場識別情報「会議室Ａ」で識別される会議の会場で取得されたサムネイルを表示する。
【０１６５】
サムネイルページコントロールＰＣの有するページはそれぞれ書誌情報表示領域ＡＢ、及びサムネイル表示領域ＡＳを有する。
書誌情報表示領域ＡＢとサムネイル表示領域ＡＳの下に表示されるサムネイル表示領域ＡＳとは、それぞれ対となっている。
【０１６６】
つまり、サムネイル表示領域ＡＳは、閲覧部１０６０の検索した取得画像に関連付けられたサムネイルＳＮを一覧表示する。また、書誌情報表示領域ＡＢは、書誌情報表示領域ＡＢの下に表示されたサムネイル表示領域ＡＳの表示するサムネイルＳＮを取得した会議の書誌的情報を表示する。
【０１６７】
尚、対となった書誌情報表示領域ＡＢとサムネイル表示領域ＡＳとは、まったく表示されない、若しくは１対又は複数が対表示される。
更に、複数の書誌情報表示領域ＡＢとサムネイル表示領域ＡＳとの対は、同一ページにおいて、表示対象とする会議の開始時刻が早い順、又は遅い順に上から表示される。
【０１６８】
尚、ページ内に全ての書誌情報表示領域ＡＢとサムネイル表示領域ＡＳとを表示するスペースが存在しない場合には、ページは、スクロールバーＳＣを表示して書誌情報表示領域ＡＢとサムネイル表示領域ＡＳとをスクロール表示する。
【０１６９】
書誌情報表示領域ＡＢは、開始日付テキストボックスＴＢＤ及び開始時刻テキストボックスＴＢＴを有する。
開始日付テキストボックスＴＢＤは、直下に表示されたサムネイル表示領域ＡＳに表示されたサムネイルを取得した会議の開始日付を表示する。開始時刻テキストボックスＴＢＴは、同様に会議の開始時刻を表示する。
【０１７０】
ここで、図９を参照して、閲覧部１０６０が認証機能を提供する際に実行する処理である認証処理について説明する。図９は、閲覧部１０６０の実行する認証処理の一例を説明するためのフローチャートである。
【０１７１】
先ず、閲覧部１０６０は、ログイン画面ＦＬＧを表示するよう、入出力制御部１０７０を介して表示装置１７０等を制御する（ステップＳＴ２０１）。
【０１７２】
次に、閲覧部１０６０は、入出力制御部１０７０を介して入力装置１５０等からユーザ識別情報を取得する（ステップＳＴ２０２）。また、閲覧部１０６０は、入力装置１５０等からパスワードを取得する（ステップＳＴ２０３）。
【０１７３】
その後、閲覧部１０６０は、ステップＳＴ２０２及びステップＳＴ２０３で取得したユーザ識別情報を基に、ユーザ情報データベース１０１４を検索し、検索したレコードのユーザ識別情報と関連付けて蓄積されたパスワードを取得する（ステップＳＴ２０４）。
その後、検索したレコードに蓄積されたパスワードと、ステップＳＴ２０３で取得したパスワードと、が一致するかを判断する（ステップＳＴ２０５）。パスワードが一致すると判断する場合にはステップＳＴ２０６の処理を、そうでない場合にはステップＳＴ２０１に戻り上記処理を繰り返す。
【０１７４】
ステップＳＴ２０５において、閲覧部１０６０は、パスワードが一致すると判断した場合には、ステップＳＴ２０２で取得したユーザ識別情報で識別されるユーザがアクセスを許可される条件を満たすアクセス制限情報を蓄積するレコードを、音声画像データベース１０１２から検索する。
【０１７５】
具体的には、閲覧部１０６０は、カンマで区切られてアクセス制限情報に記載された１又は複数のユーザ識別の内に、ステップＳＴ２０２で取得したユーザ識別情報を含むアクセス制限情報を蓄積するレコードを、音声画像データベース１０１２から検索する。
【０１７６】
尚、何も記述されて無い（空文字又はＮＵＬＬ文字が登録されている）アクセス制限情報は、何人もアクセス可能であることを表すとし、何も記述されて無いアクセス制限情報を蓄積するレコードをも音声画像データベース１０１２から検索する構成を採用できる。
【０１７７】
次に、閲覧部１０６０は、検索したレコードから取得画像と、取得画像に基づいて作成されたサムネイルと、を関連付けて保存したディレクトリを取得し、取得したディレクトリを基にサムネイルを取得する（ステップＳＴ２０６）。
【０１７８】
最後に、閲覧部１０６０は、取得したサムネイルを一覧表示するように入出力制御部１０７０を介して表示装置１７０等を制御する（ステップＳＴ２０７）。
【０１７９】
具体的には、閲覧部１０６０は、図８に示した閲覧画面ＦＶを表示するよう表示装置１７０等を制御する。尚、取得したサムネイルは、取得した会議の会場識別情報毎に異なったページに表示され、かつ会議の開始時刻毎に異なったサムネイル表示領域ＡＳに、会議の開始時刻の早い順又は遅い順に一覧表示される。
【０１８０】
この構成によれば、表示手段は、認証されたユーザが検索した取得画像に基づいて生成されたサムネイルを一覧表示するため、一見して所望の取得画像を特定できる。
またこの構成により、認証されたユーザ毎に、表示装置１７０等に表示するサムネイル等の情報を制限できる。
【０１８１】
尚、閲覧部１０６０が上記ステップＳＴ２０１ないしステップＳＴ２０５の処理を実行することで認証手段が実現される。
【０１８２】
この構成によれば、認証手段はユーザ認証情報に基づいてユーザ認証し、画像音声登録手段は取得画像とアクセス制限情報とを関連付けて記憶部に登録するので、認証されたユーザがアクセスを許可される取得画像を、ユーザ認証情報と登録されたアクセス制限情報とに基づいて特定できる。よって、ユーザはユーザ認証情報のみを管理すればよく、一例として、会議毎に異なるパスワードを発行する場合と比べて、異なる複数のパスワードを管理する負担を軽減できる。
また、ユーザのアクセスできる画像の管理をアクセス制限情報により一元管理できるため、ユーザの役職の変更等により生じるアクセス権限の変更に柔軟に対応できる。
【０１８３】
ここで、図１０を参照して、閲覧部１０６０が検索機能を提供する際に実行する処理である検索処理について説明する。図１０は、閲覧部１０６０の実行する検索処理の一例を説明するためのフローチャートである。
【０１８４】
先ず、閲覧部１０６０は、閲覧画面ＦＶを表示するよう表示装置１７０等を制御している。
次に、閲覧部１０６０は、入出力制御部１０７０を介して入力装置１５０等から検索キーを取得する（ステップＳＴ３０１）。また、閲覧部１０６０は、入力装置１５０等から検索を行なうよう命じる信号を受信する。
【０１８５】
その後、閲覧部１０６０は、閲覧画面ＦＶのサムネイルページコントロールＰＣが表示しているページが表示している会場識別情報を取得する。
【０１８６】
次に、閲覧部１０６０は、ステップＳＴ３０１で取得した検索キーに基づいて検索条件を作成し、検索条件に合致するレコードをインデックスデータベース１０１３から取得する（ステップＳＴ３０２）。
【０１８７】
具体的には、閲覧部１０６０は、ステップＳＴ３０１で取得した検索キーが時刻表記された文字列である場合には、検索キーを含む投影区間を蓄積したレコードを検索するための検索条件を生成して検索する。
【０１８８】
又は、閲覧部１０６０は、ステップＳＴ３０１で取得した検索キーが時刻表記でない文字列である場合には、検索キーを含む単語、又は検索キーと完全に一致する単語を蓄積したレコードを検索するための検索条件を生成して検索する。
【０１８９】
つまり、閲覧部１０６０の検索機能は、取得画像分類基準に基づいて取得画像を検索する。
【０１９０】
この構成によれば、検索手段は、取得画像から文字認識処理により取得したテキスト情報を構成する単語に基づいて取得画像検索できるため、取得画像に記載された単語を手がかりとして取得画像を検索できる。
【０１９１】
その後、閲覧部１０６０は、検索したレコードの蓄積するデータ識別情報を取得する（ステップＳＴ３０３）。
次に、閲覧部１０６０は、ステップＳＴ３０３で取得したデータ識別情報をデータＩＤカラムに蓄積し、かつ検索を行なっているユーザがアクセスを許可される条件を記述したアクセス制限情報をユーザＩＤカラムに蓄積するレコードを検索する。
つまり、閲覧部１０６０は、認証されたユーザがアクセスを許可された取得画像をアクセス制限情報に基づいて検索する。
【０１９２】
次に、閲覧部１０６０は、検索したレコードから取得画像と、取得画像に基づいて作成されたサムネイルと、を関連付けて保存したディレクトリを取得し、取得したディレクトリを基にサムネイルを取得する（ステップＳＴ３０４）。
その後、閲覧部１０６０は、ステップＳＴ３０４で取得したサムネイルを一覧表示するように入出力制御部１０７０を介して表示装置１７０等を制御する（ステップＳＴ３０５）。
【０１９３】
具体的には、閲覧部１０６０は、図８に示した閲覧画面ＦＶを表示するよう表示装置１７０等を制御する。
取得したサムネイルは、取得した会議の会場識別情報毎に異なったページに表示され、かつ会議の開始時刻毎に異なったサムネイル表示領域ＡＳに、会議の開始時刻の早い順又は遅い順に一覧表示される。
【０１９４】
尚、閲覧部１０６０が上記ステップＳＴ３０１ないしステップＳＴ３０３の処理を実行することで検索手段が実現される。
【０１９５】
また、例えば、ユーザが、入力装置１６０等を操作してマウスポインタを閲覧画面ＦＶに表示されたサムネイルＳＮに合わせてクリック等することで、入力装置１６０等は、閲覧画面ＦＶに表示されたサムネイルＳＮを選択する信号を閲覧部１０６０に送信する。
【０１９６】
次に、閲覧部１０６０は、サムネイルＳＮを選択する信号を受信し、選択されたサムネイルに関連付けられた取得画像、取得音声、及び取得映像の保存ディレクトリ、並びに画像取得時刻、音声取得時刻、及び映像取得時刻を音声画像データベース１０１２から取得する。
【０１９７】
その後、取得したディレクトリから取得画像、取得音声、及び取得映像を参照する。
次に、参照した取得画像及び取得映像を、画像取得時刻及び映像取得時刻に基づいてそれぞれ同期して表示するよう表示装置１７０等を制御し、かつ参照した取得音声を、音声取得時刻に基づいて表示装置１７０等の表示する取得画像及び映像取得時刻と、同期して出音するよう出音装置１８０等を制御する。
【０１９８】
つまり、表示装置１７０等は、閲覧部１０６０の検索機能により検索された取得画像又は取得映像を表示する。
【０１９９】
この構成によれば、検索手段は、取得画像分類基準のみならずアクセス制限情報、及び認証されたユーザのユーザ認証情報にも基づいて検索するため、ユーザが閲覧を要求し、かつアクセスを許可される画像のみを検索できる。よって、ユーザはユーザ認証情報のみを管理すればよく、一例として、会議毎に異なるパスワードを発行する場合と比べて、異なる複数のパスワードを管理する負担を軽減しながらも、複数の会議において取得された画像を検索できる。
【０２００】
特に、出音装置１８０等は、表示装置１７０等に表示する取得画像の投影区間において取得された取得音声を、表示装置１７０等の表示する取得画像と同期させて出音する。
【０２０１】
この構成によれば、出音手段は、記憶部に登録された音声を表示部に表示される取得画像と時刻に基づいて同期させて出音するため、会議に出席しなかった者や会議の内容を再確認しようとする者等が会議の内容を容易に参照できる。
【０２０２】
閲覧部１０６０は、更に、既に設定されたアクセス制限情報を取得画像毎に変更できるアクセス権変更機能をも提供する。アクセス権変更機能とは、取得画像に関連付けて記憶部１０１０の音声画像データベース１０１２に登録されたアクセス制限情報を、入力装置１６０等により入力されたアクセス制限情報で変更登録する機能を言う。
【０２０３】
ここで、図１１を参照して閲覧部１０６０がアクセス権変更機能を提供する際に、表示装置１７０等に表示するよう制御するアクセス権変更画面ＦＡＧについて説明する。図１１は、表示装置１７０等が表示するアクセス権変更画面ＦＡＧの一例を説明するための図である。
【０２０４】
アクセス権変更画面ＦＡＧは、サムネイルＳＮ、アクセス制限情報メモボックスＭＡＣ、設定クリアボタンＢＴＣ、及びアクセス権限変更ボタンＢＴＧを有する。
【０２０５】
サムネイルＳＮは、変更対象とするアクセス制限情報と関連付けて登録された取得画像のサムネイルである。
アクセス制限情報メモボックスＭＡＣは、ユーザが入力装置１６０等により入力した新たなアクセス制限情報を表示する。
尚、アクセス制限情報メモボックスＭＡＣは、デフォルトでは、音声画像データベース１０１２に既に登録されている（つまり、更新登録前の）アクセス制限情報を表示する。
【０２０６】
設定クリアボタンＢＴＣは、入力装置１６０等で入力されたアクセス制限情報を取消すことを命令ずる信号を、入力装置１６０等により入力できることを表すボタン表示である。
アクセス権限変更ボタンＢＴＧは、アクセス制限情報メモボックスＭＡＣに表示された情報をアクセス制限情報で、音声画像データベース１０１２に登録されているアクセス制限情報を更新登録するよう閲覧部１０６０に命令ずる信号を、入力装置１６０等により入力できることを表すボタン表示である。
【０２０７】
ここで、図１２を参照して、閲覧部１０６０がアクセス権変更機能を提供するために実行する処理について説明する。図１２は、閲覧部１０６０が実行するアクセス権変更処理の一例を説明するためのフローチャートである。
【０２０８】
先ず、取得画像のアクセス制限情報を変更する権限を有するスーパユーザが、例えば、入力装置１６０等を操作してマウスポインタを、閲覧画面ＦＶに表示されたサムネイルＳＮに合わせて右クリックする。
【０２０９】
これにより入力装置１６０等は、プルダウンメニューを表示するよう閲覧部１０６０へ信号を入力する。
【０２１０】
次に、プルダウンメニューの表示を求める信号を閲覧部１０６０が受信する（ステップＳＴ４０１）。
その後、閲覧部１０６０は、プルダウンメニューを表示するよう表示装置１７０等を制御する（ステップＳＴ４０２）。
【０２１１】
その後、スーパユーザが、例えば、入力装置１６０等を操作してプルダウンメニューのメニューの１つを選択する。
これにより、入力装置１６０等は、アクセス権変更画面ＦＡＧの表示を要求する信号、及び表示装置１７０等の表示するサムネイルを選択する選択信号を閲覧部１０６０通知する。
【０２１２】
その後、閲覧部１０６０は、アクセス権変更画面ＦＡＧの表示を求める信号を受信する（ステップＳＴ４０３）。
また、閲覧部１０６０は、アクセス権変更画面ＦＡＧを表示するよう表示装置１７０等を制御する（ステップＳＴ４０４）。
【０２１３】
次に、ユーザは、アクセス権変更画面ＦＡＧを参照しながら入力装置１６０等を操作する。これにより、入力装置１６０等は、アクセス制限情報、及び更新登録を命令ずる信号を入力する。
【０２１４】
その後、閲覧部１０６０は、新たに入力装置１６０等で入力されたアクセス制限情報を取得する（ステップＳＴ４０５）。
また、閲覧部１０６０は、入力装置１６０等から更新登録を命令ずる信号を受信する（ステップＳＴ４０６）。
【０２１５】
次に、閲覧部１０６０は、ステップＳＴ４０３で受信した選択信号から選択されたサムネイルＳＮを特定し、特定したサムネイルＳＮに関連付けて既に登録されているアクセス制限情報を、入力装置１６０等から取得したアクセス制限情報で更新登録する（ステップＳＴ４０７）。
【０２１６】
その後、閲覧部１０６０は、アクセス権変更画面ＦＡＧを閉じるように表示装置１７０等を制御する（ステップＳＴ４０８）。その後、閲覧部１０６０は、処理を終了する。
【０２１７】
この構成によれば、アクセス情報変更登録手段は、一旦登録されたアクセス制限情報を変更登録するため、一例として、ユーザの役職の変更等により生じるユーザのアクセス権限の変更に対応できる。
【０２１８】
尚、閲覧部１０６０が上記ステップＳＴ４０１ないしステップＳＴ４０８の処理を実行することでアクセス情報更新登録手段が実現される。
【０２１９】
またこの構成によれば、アクセス情報変更登録手段は、アクセス制限情報が関連付けられた取得画像単位でアクセス制限情報を変更登録できるため、一例として、会議後に公然と知られるに至った情報のみを含む取得画像のアクセス制限を解除できる。
また特に、デフォルトでは常に取得画像へのアクセスを制限するため、アクセス制限情報の設定をしなくとも取得画像等の情報が漏洩することがない。よって、取得画像の有する機密情報を管理する管理者の労力を軽減できる。
【０２２０】
ここで、図２に戻り、情報処理装置１００の構成について説明する。
入出力制御部１０７０は、アクセス権付与部１０５０、閲覧部１０６０、第１入力装置１６０、第１表示装置１７０、第１出音装置１８０、及び通信部１０８０に接続している。
【０２２１】
入出力制御部１０７０は、第１入力装置１６０又は通信部１０８０から入力されたアクセス制限情報、検索キー及び各種信号等を、アクセス権付与部１０５０又は閲覧部１０６０へ送信する。逆に、アクセス権付与部１０５０又は閲覧部１０６０から取得した制御情報を、第１表示装置１７０、第１出音装置１８０、及び通信部１０８０へ送信する。
【０２２２】
通信部１０８０は、例えば、ネットワークアダプタ等で構成され、入出力制御部１０７０及びネットワーク３００に接続している。通信部１０８０は、ネットワーク３００を通じて端末装置２００から入力されたアクセス制限情報、検索キー及び各種信号等を、入出力制御部１０７０へ送信する。逆に、入出力制御部１０７０から取得した制御情報を、ネットワーク３００を通じて端末装置２００へ送信する。
【０２２３】
上記実施形態では、画像音声登録部１０２０は、アクセス権付与部１０５０によりアクセス情報データベース１０１１に登録されたアクセス制限情報と、取得画像と、を関連付けて音声画像データベース１０１２に登録するとして説明した。
しかしこれに限定されるわけではなく、例えば、アクセス権付与部１０５０及びアクセス情報データベース１０１１を有さず、画像音声登録部１０２０は、取得画像と、全てのユーザが取得画像へのアクセスを常に許可されないとするアクセス制限情報と、を関連付けて登録する構成を採用できる。
【０２２４】
この構成によれば、デフォルトでは常に取得画像へのアクセスを制限し、閲覧部１０６０のアクセス権変更機能のみが、取得画像に対してアクセスを許可されるユーザのユーザ識別情報、又はユーザグループ識別情報をアクセス制限情報に追加して変更登録するため、アクセス制限情報の設定をしなくとも取得画像等の情報が漏洩することがない。よって、取得画像の有する機密情報を管理する管理者の労力を軽減できる。
【０２２５】
本実施例においては、第１入力装置１６０及び第２入力装置２１０が入力手段に相当し、第１表示装置１７０及び第２表示装置が表示手段に相当し、第１出音装置１８０及び第２出音装置２３０が出音手段に相当し、画像音声登録部１０２０が画像音声登録手段に相当し、分類基準登録部１０４０が分類基準登録手段に相当し、アクセス権付与部１０５０がアクセス情報登録手段に相当し、閲覧部１０６０が実行するステップＳＴ２０１ないし２０５の処理により認証手段が実現され、かつ閲覧部１０６０が実行するステップＳＴ３０１ないし３０４の処理により検索手段が実現され、閲覧部１０６０が実行するステップＳＴ４０１ないし４０８の処理によりアクセス情報変更登録手段が実現される。
る。
【実施例２】
【０２２６】
以下、本発明の第２の実施形態について、添付図面を参照しつつ説明する。
第２の実施形態は、ユーザの属するグループを識別する情報によってアクセス制限情報を表現する実施例である。
【０２２７】
本発明の第２の実施形態は、第１の実施形態とほぼ同一構成及び機能を有する。よって、第１の実施形態との差異についてのみ説明する。
【０２２８】
アクセス制限情報は、取得画像に対してアクセスを許可される複数のユーザで構成されるユーザグループを識別する情報、又は取得画像に対してアクセスを拒否される１又は複数のユーザで構成されるユーザグループを識別する情報のいずれか一方を表す点で、第１の実施例と異なる。尚、ユーザグループを識別する情報を以下単に、ユーザグループ識別情報と言う。
【０２２９】
尚、グループとは、例えば、全社員、営業部、開発部、プロジェクトチーム等の会社組織における役職、所属、又は任務等で分類されるグループを言う。
【０２３０】
この構成によれば、アクセス制限情報は複数のユーザで構成されるユーザグループを識別する情報で表されるため、取得画像へのアクセスが許可されるユーザをユーザグループの識別情報により一括に特定できる。よって、取得画像に含まれる機密情報を管理する管理者の労力を軽減できる。
【０２３１】
上記実施形態では、アクセス制限情報は、ユーザグループを識別する情報である場合についてついて説明したが、これに限定されるわけではなく、例えば、部課名等のユーザグループ名であり、ユーザ情報データベース１０１４にユーザグループ識別情報とユーザグループ名とを関連付けて同一レコードに予め登録しておき、ユーザグループ名とユーザグループ識別情報とを１対１に対応付ける構成を採用できる。
【０２３２】
また、ユーザ情報データベース１０１４には、ユーザグループ識別情報とユーザグループに属するユーザのユーザ識別情報とを関連付けて登録してある。よって、閲覧部１０６０は、ユーザグループ識別情報を記述したアクセス制限情報に基づいてアクセスが許可又は拒否されるユーザを特定する。
【０２３３】
ここで、図１３を参照して第２の本実施例において表示装置１６０等に表示されるアクセス設定画面ＦＡＳについて説明する。図１３は、実施例２において表示装置１７０等が表示するアクセス設定画面の一例を表す図である。
【０２３４】
アクセス設定画面ＦＡＳのアクセス制限情報メモボックスＭＡＣには、入力装置１６０等により入力された取得画像へのアクセスが許可される又は許可されないユーザグループが表示される点で、第１の実施例と異なる。
【０２３５】
次に、アクセス情報データベース１０１１の有するテーブルであって、アクセス権付与部１０５０によりアクセス制限情報及び会議の書誌的情報を登録されるテーブルを以下の表３に示す。
【０２３６】
【表３】
2007334832.tif 000005
【０２３７】
表３は、第１の実施例と同様に、スケジュールＩＤカラム、日時カラム、会議室ＩＤカラム、及びユーザＩＤカラムを有している。
しかし、ユーザＩＤカラムに蓄積されるアクセス制限情報は、ユーザ識別情報をＣＳＶ（Comma Separated Values）形式で連結した文字列ではなく、ユーザグループ識別情報をＣＳＶ（Comma Separated Values）形式で連結した文字列である点で第１の実施例と異なる。
【０２３８】
次に、音声画像データベース１０１２の有するテーブルであって、画像音声登録部１０２０によりアクセス制限情報及び取得画像等の保存ディレクトリ等を登録されるテーブルを以下の表４に示す。
【０２３９】
【表４】
2007334832.tif 000006
【０２４０】
表４は、第１の実施例と同様に、データＩＤカラム、保存先ＵＲＬカラム、場所名カラム、日時カラム、及びユーザＩＤカラムを有している。
しかし、ユーザＩＤカラムに蓄積されるアクセス制限情報は、ユーザ識別情報をＣＳＶ（Comma Separated Values）形式で連結した文字列ではなく、ユーザグループ識別情報をＣＳＶ（Comma Separated Values）形式で連結した文字列である点で第１の実施例と異なる。
【実施例３】
【０２４１】
以下、本発明の第３の実施形態について、添付図面を参照しつつ説明する。
第３の実施形態は、取得画像、取得音声、又は取得映像の内容を開示することが許される範囲である開示可能範囲をアクセス制限情報に含む実施例である。
【０２４２】
本発明の第３の実施形態は、第１の実施形態とほぼ同一構成及び機能を有する。よって、第１の実施形態との差異についてのみ説明する。
【０２４３】
アクセス制限情報は、開示可能範囲をアクセス制限情報に含む点で、第１の実施例と異なる。
尚、開示可能範囲とは、例えば、「全公開」、「社内」、又は「部内」等の文字列で表される。
【０２４４】
具体的には、開示可能範囲は、いかなるグループに属するユーザに対して又はそれ以外に対して、取得画像、取得音声、又は取得映像の内容を公開することが許可されていることを表す。グループは、例えば、ユーザの属する会社組織、役職、所属、又は任務等に基づいて分類される。
【０２４５】
尚、開示可能範囲に属しないユーザのユーザ識別情報が、取得画像に対してアクセスを許可されるユーザのユーザ識別情報としてアクセス制限情報に記載されることはない。
【０２４６】
この構成によれば、画像音声登録手段は、取得画像と開示可能範囲とを関連付けて記憶部に登録するため、取得画像の開示可能範囲を容易に知ることができる。
【０２４７】
ここで、図１４を参照して第３の本実施例において表示装置１６０等に表示されるアクセス設定画面ＦＡＳについて説明する。図１４は、実施例３において表示装置１７０等が表示するアクセス設定画面の一例を表す図である。
【０２４８】
アクセス設定画面ＦＡＳの設定アクセス権限領域ＡＡは、範囲テキストボックスＴＢＲを有する点で第１の実施例と異なる。
範囲テキストボックスＴＢＲは、入力装置１６０等により入力された開示可能範囲を表示する。
【０２４９】
アクセス権付与部１０５０は、入力装置１６０等により開催時間区間、会場識別情報、及び取得画像に対してアクセスを許可されるユーザのユーザ識別情報の他に、開示可能範囲を入力され、かつアクセス情報データベース１０１１にそれら情報を関連付けて登録する点で、第１の実施例と異なる。
【０２５０】
次に、アクセス情報データベース１０１１の有するテーブルであって、アクセス権付与部１０５０によりアクセス制限情報及び会議の書誌的情報を登録されるテーブルを以下の表５に示す。
【０２５１】
【表５】
2007334832.tif 000007
【０２５２】
表５は、スケジュールＩＤカラム、日時カラム、会議室ＩＤカラム、及びユーザＩＤカラム、の他に開示範囲カラムを有している点で第１の実施例と異なる。
表５の有するレコードは、開示範囲カラムに開示可能範囲を蓄積する。
【０２５３】
次に、音声画像データベース１０１２の有するテーブルであって、画像音声登録部１０２０によりアクセス制限情報及び取得画像等の保存ディレクトリ等を登録されるテーブルを以下の表６に示す。
【０２５４】
【表６】
2007334832.tif 000008
【０２５５】
表６は、データＩＤカラム、保存先ＵＲＬカラム、場所名カラム、日時カラム、及びユーザＩＤカラム、の他に開示範囲カラムを有している点で実施例１と異なる。尚、表６の有するレコードは、開示範囲カラムに開示可能範囲を蓄積する。
【０２５６】
次に、図１５を参照して第３の実施例において表示装置１６０等にされる閲覧画面ＦＶについて説明する。図１５は、実施例３において表示装置１６０等が表示する閲覧画面ＦＶの一例を説明するための図である。
【０２５７】
サムネイルページコントロールＰＣの有するページはそれぞれ書誌情報表示領域ＡＢ、及びサムネイル表示領域ＡＳ、の他に開示範囲表示領域ＡＤを有する点で第１の実施例と異なる。
書誌情報表示領域ＡＢ、書誌情報表示領域ＡＢの下に表示される開示範囲表示領域ＡＤ、及び開示範囲表示領域ＡＤの下に表示されるサムネイル表示領域ＡＳとは、それぞれ対となっている。
【０２５８】
つまり、サムネイル表示領域ＡＳは閲覧部１０６０の検索した取得画像に関連付けられたサムネイルを一覧表示し、書誌情報表示領域ＡＢは書誌情報表示領域ＡＢの下に表示されたサムネイル表示領域ＡＳに表示されたサムネイルを取得した会議の書誌的情報を表示し、かつ開示範囲表示領域ＡＤはサムネイルを作成する基礎とした取得画像の開示可能範囲、及び取得画像にアクセスが許されたユーザのユーザ識別情報をＣＳＶ（Comma Separated Values）形式で表示する。
【０２５９】
この構成によれば、表示手段は、取得画像の開示可能範囲を表示する。よって、ユーザは、取得画像の開示可能範囲を容易に知ることができる。
【実施例４】
【０２６０】
以下、本発明の第４の実施形態について、添付図面を参照しつつ説明する。
第４の実施形態は、取得画像に対するアクセスを許可するか否かを表すアクセス許否情報、及びアクセス許否情報の有効期間を含む実施例である。
【０２６１】
本発明の第４の実施形態は、第１の実施形態とほぼ同一構成及び機能を有する。よって、第１の実施形態との差異についてのみ説明する。
【０２６２】
アクセス制限情報は、取得画像に対するアクセスを許可するか否かを表すアクセス許否情報、及びアクセス拒否情報の有効期間をアクセス制限情報に含む点で、第１の実施例と異なる。
具体的には例えば、アクセス許否情報は、公開又は非公開を表す情報を含む。
【０２６３】
この構成によれば、画像音声登録手段は、取得画像とアクセス許否を表す情報とを関連付けて記憶部に登録するため、一例として、取得画像とアクセスの許可のみを表す情報とを関連付けて記憶部に登録する場合と比べて、アクセスを許可する条件に対する記載の自由度が向上する。
【０２６４】
またこの構成によれば、画像音声登録手段は、アクセス許否を表す情報のみならず有効期間をも取得画像と関連付けて記憶部に登録するため、アクセスを許可する条件に対する記載の自由度が向上する。
【０２６５】
ここで、図１６を参照して第４の本実施例において表示装置１６０等に表示されるアクセス設定画面ＦＡＳについて説明する。図１６は、実施例４において表示装置１７０等が表示するアクセス設定画面の一例を表す図である。
【０２６６】
アクセス設定画面ＦＡＳの設定アクセス権限領域ＡＡは、期間テキストボックスグループＧＩ、起算日テキストボックスグループＧＳ、及び動作テキストボックスＴＢＣを更に有する点で実施例１と異なる。
【０２６７】
期間テキストボックスグループＧＩは、入力装置１６０等で入力されたアクセス許否情報の有効期間を表示する。
起算日テキストボックスグループＧＳは、入力装置１６０等で入力されたアクセス許否情報の有効期間の起算日を表示する。
動作テキストボックスＴＢＣは、入力装置１６０等で入力されたアクセス許否情報を表示する。
【０２６８】
具体的には、アクセス設定画面ＦＡＳの起算日テキストボックスグループＧＳには「２００５年１２月１８日」と表示され、期間テキストボックスグループＧＩには「１年６ヶ月」と表示され、かつ動作テキストボックスＴＢＣには「公開」と表示されている。  
【０２６９】
これは、「２００５年１２月１８日」を起算日として、「１年６ヶ月」の間、取得画像等の内容は「公開」が許される。つまり、アクセスが可能であると言うことを表している。また、有効期間が経過した後には、取得画像等の内容は「非公開」となる。
【０２７０】
アクセス権付与部１０５０は、入力装置１６０等により開催時間区間、会場識別情報、及び取得画像に対してアクセスを許可されるユーザのユーザ識別情報の他に、アクセス許否情報、アクセス許否情報の有効期間、及びアクセス許否情報の有効期間の起算日を入力され、かつアクセス情報データベース１０１１にそれら情報を登録する点で、第１の実施例と異なる。
【０２７１】
次に、アクセス情報データベース１０１１の有するテーブルであって、アクセス権付与部１０５０によりアクセス制限情報及び会議の書誌的情報を登録されるテーブルを以下の表７に示す。
【０２７２】
【表７】
2007334832.tif 000009
【０２７３】
表７は、スケジュールＩＤカラム、日時カラム、会議室ＩＤカラム、及びユーザＩＤカラム、の他に起算日カラム、期間カラム、及び動作カラムを有している点で第１の実施例と異なる。
表７の有するレコードは、起算日カラムにアクセス許否情報の有効期間の起算日を、期間カラムにアクセス許否情報の有効期間を、及び動作カラムにアクセス許否情報を蓄積する。
【０２７４】
次に、音声画像データベース１０１２の有するテーブルであって、画像音声登録部１０２０によりアクセス制限情報及び取得画像等の保存ディレクトリ等を登録されるテーブルを以下の表８に示す。
【０２７５】
【表８】
2007334832.tif 000010
【０２７６】
表８は、データＩＤカラム、保存先ＵＲＬカラム、場所名カラム、日時カラム、及びユーザＩＤカラム、の他に起算日カラム、期間カラム、及び動作カラムを有している点で第１の実施例と異なる。
表８の有するレコードは、起算日カラムにアクセス許否情報の有効期間の起算日を、期間カラムにアクセス許否情報の有効期間を、及び動作カラムにアクセス許否情報を蓄積する。
【０２７７】
次に、図１７を参照して第４の実施例において閲覧部１０６０が実施する検索処理について説明する。図１７は、実施例４において閲覧部１０６０が実施する検索処理の一例を説明するためのフローチャートである。
【０２７８】
閲覧部１０６０の実行するステップＳＴ５０１ないし５０４の処理及びステップＳＴ５０８の処理は、図１０を用いて説明した第１の実施例におけるステップＳＴ３０１ないし３０４及び３０５の処理と同様であるため説明を省略する。
【０２７９】
ステップＳＴ５０４を実行した後、閲覧部１０６０は、ステップＳＴ５０４で検索されたレコードから、アクセス許否情報、アクセス許否情報の起算日、及びアクセス許否情報の有効期間を取得する（ステップＳＴ５０５）。
【０２８０】
次に、閲覧部１０６０は、システム時刻を取得する（ステップＳＴ５０６）。
その後、閲覧部１０６０は、ステップＳＴ５０４で検索されたレコードであって、ステップＳＴ５０６で取得したシステム時刻が、ステップＳＴ５０５で取得したレコードの蓄積するアクセス許否情報の起算日から開始する有効期間に含まれ、かつアクセス許否情報が公開であるレコード、又は含まれずかつアクセス許否情報が非公開であるレコードを検索する。
【０２８１】
次に、閲覧部１０６０は、検索したレコードから取得画像等と、取得画像等に基づいて作成されたサムネイルと、を関連付けて保存したディレクトリを取得し、取得したディレクトリを基にサムネイルを取得する（ステップＳＴ５０７）。
【０２８２】
その後、 閲覧部１０６０は、ステップＳＴ５０８の処理を実行した後に、処理を終了する。
【０２８３】
本実施例においては、実施例１と同様に、第１入力装置１６０及び第２入力装置２１０が入力手段に相当し、第１表示装置１７０及び第２表示装置が表示手段に相当し、第１出音装置１８０及び第２出音装置２３０が出音手段に相当し、画像音声登録部１０２０が画像音声登録手段に相当し、分類基準登録部１０４０が分類基準登録手段に相当し、アクセス権付与部１０５０がアクセス情報登録手段に相当し、閲覧部１０６０が実行するステップＳＴ２０１ないし２０５の処理により認証手段が実現され、閲覧部１０６０が実行するステップＳＴ４０１ないし４０８の処理によりアクセス情報変更登録手段が実現される。
しかし、本実施例においては、実施例１と異なり、閲覧部１０６０が実行するステップＳＴ５０１ないし５０７の処理により検索手段が実現される。
【実施例５】
【０２８４】
以下、本発明の第５の実施形態について、添付図面を参照しつつ説明する。
第５の実施形態は、取得画像に関連付けられるアクセス制限情報をリアルタイムで設定できる実施例である。
【０２８５】
第１の実施形態において、取得画像に関連付けられるアクセス制限情報は、予め会議の開始前に記憶部１０１０のアクセス情報データベース１０１１に、会議の会議識別情報と開催時間区間とに関連付けて蓄積されたアクセス制限情報である。
しかし、第５の実施形態において、取得画像に関連付けられるアクセス制限情報は、会議の開催中に（開催前でも構わない）入力装置１６０等が開催時間区間と関連無く入力したアクセス制限情報である点で第１の実施形態と異なる。
【０２８６】
本発明の第５の実施形態は、第１の実施形態とほぼ同一構成及び機能を有する。よって、第１の実施形態との差異についてのみ説明する。
【０２８７】
ここで、図１８を参照して第５の本実施例において表示装置１６０等に表示されるアクセス設定画面ＦＡＳについて説明する。図１８は、実施例５において表示装置１７０等が表示するアクセス設定画面の一例を表す図である。
【０２８８】
アクセス設定画面ＦＡＳの設定アクセス権限領域ＡＡは、開始日付テキストボックスグループＧＤ、及び開始時刻グループＧＴを有しない点で実施例１と異なる。
【０２８９】
また、アクセス設定画面ＦＡＳは、アクセス権限付与ボタンＢＴＡを有さず、かつアクセス権限付与開始ボタンＢＴＡＳ及びアクセス権限付与終了ボタンＢＴＥを有する点で実施例１と異なる。
【０２９０】
アクセス権限付与開始ボタンＢＴＡＳは、ユーザが入力装置１６０等を操作して入力装置１６０等により開始指示信号を入力できることを表すボタン表示である。
【０２９１】
尚、開始指示信号は、記憶部１０１０の有する音声画像データベース１０１２に登録される取得画像に関連付けられるアクセス制限情報を指示する信号であ、かつアクセス制限情報メモボックスＭＡＣに表示されたアクセス制限情報を指定し、かつ記憶部１０１０の有する音声画像データベース１０１２に登録される取得画像に関連付けられるアクセス制限情報を、アクセス権付与部１０５０が開催時間区間と関連付けて記憶部１０１０のアクセス情報データベース１０１１に登録したアクセス制限情報に代えて、開始指示信号が指定するアクセス制限情報とするよう指示する信号である。
【０２９２】
アクセス権限付与終了ボタンＢＴＥは、ユーザが入力装置１６０等を操作して入力装置１６０等により終了指示信号を入力できることを表すボタン表示である。
【０２９３】
尚、終了指示信号は、記憶部１０１０の有する音声画像データベース１０１２に登録される取得画像に関連付けられるアクセス制限情報を指示する信号であり、かつ記憶部１０１０の有する音声画像データベース１０１２に登録される取得画像に関連付けられるアクセス制限情報を、アクセス権付与部１０５０が開催時間区間と関連付けて記憶部１０１０のアクセス情報データベース１０１１に登録したアクセス制限情報とするよう指示する信号を言う。
【０２９４】
尚、デフォルトでは、アクセス権限付与開始ボタンＢＴＡＳは選択可能であることを表すボタン表示で表示され、アクセス権限付与終了ボタンＢＴＥは選択不可能であることを表すボタン表示（例えば、グレー表示）で表示される。
【０２９５】
また、ユーザが入力装置１６０等を操作し、例えば、マウスポインタをアクセス権限付与開始ボタンＢＴＡＳに合わせてクリックする等して開始指示信号を入力した場合には、アクセス権限付与開始ボタンＢＴＡＳは選択不可能、アクセス権限付与終了ボタンＢＴＥは選択可能であることを表すボタン表示で表示される。
【０２９６】
逆に、終了指示信号を入力した場合には、アクセス権限付与開始ボタンＢＴＡＳは選択可能、アクセス権限付与終了ボタンＢＴＥは選択不可能であることを表すボタン表示で表示される。
【０２９７】
つまり、入力装置１６０等は、記憶部１０１０に登録される取得画像に関連付けられるアクセス制限情報を指示する指示信号と、指示信号が指示するアクセス制限情報とを入力する点で実施例１と異なる。
【０２９８】
ここで、アクセス情報データベース１０１１の有するテーブルであって、アクセス権付与部１０５０により情報を登録されるテーブルを以下の表９及び表１０に示す。
表１は、入力装置１６０等が開始指示信号を入力し、入力された開始指示信号をアクセス権付与部１０５０が受信した場合に、登録されるレコードを有する表である。
【０２９９】
【表９】
2007334832.tif 000011
【０３００】
日時カラムには、「現在の画像・音声」と言う文字列が登録される点で実施例１と異なる。
尚、日時カラムのデータ型を指定し、日時を表す文字列のみの入力を受け付けないようにする実施例においては、「現在の画像・音声」を表す所定の日時としても良い。
【０３０１】
表１０は、入力装置１６０等が終了指示信号を入力し、入力された終了指示信号をアクセス権付与部１０５０が受信した場合に、登録されるレコードを有する表である。
【０３０２】
【表１０】
2007334832.tif 000012
【０３０３】
日時カラムには、「終了」と言う文字列が登録される点で実施例１と異なる。
尚、日時カラムのデータ型を指定し、日時を表す文字列のみの入力を受け付けないようにする実施例においては、「終了」を表す所定の日時としても良い。
【０３０４】
次に、アクセス権付与部１０５０の登録処理について説明する。
先ず、入力装置１６０等は、ユーザに操作されて、アクセス制限情報、会場識別情報、及び開始指示信号を入力する。
【０３０５】
次に、アクセス権付与部１０５０は、入力されたアクセス制限情報、会場識別情報、及び開始指示信号を受信する。
アクセス権付与部１０５０は、会議識別情報を生成し、生成した会議識別情報と「現在の画像・音声」と言う文字列と受信した会場識別情報及びアクセス制限情報とを関連付けてアクセス情報データベース１０１１に登録する。
【０３０６】
また、入力装置１６０等は、ユーザに操作されて、会場識別情報、及び終了指示信号を入力する。
【０３０７】
次に、アクセス権付与部１０５０は、入力された会場識別情報、及び終了指示信号を受信する。
アクセス権付与部１０５０は、アクセス情報データベース１０１１から、受信した会場識別情報及び「現在の画像・音声」と言う文字列を蓄積するレコードを検索する。
【０３０８】
その後、アクセス権付与部１０５０は、検索したレコードの「現在の画像・音声」と言う文字列を「終了」と言う文字列と言う文字列に更新登録する。
【０３０９】
次に、画像音声登録部１０２０の登録処理について説明する。
実施例１において、画像音声登録部１０２０は、音声画像取込装置１５０から取得した取得画像の画像取得時刻を日時カラムの蓄積する開催時間区間に含み、かつ取得した会場識別情報を会議室ＩＤカラムに蓄積するレコードを、アクセス情報データベース１０１１の有するテーブルから検索する。
【０３１０】
しかし、実施例５において、画像音声登録部１０２０は、「現在の画像・音声」と言う文字列、及び音声画像取込装置１５０から取得した会場識別情報を日時カラム、及び会議室ＩＤカラムに蓄積するレコードを、アクセス情報データベース１０１１の有するテーブルから検索する点で実施例１と異なる。
【０３１１】
尚、画像音声登録部１０２０は、検索条件に合致するレコードが存在しない場合には、再度、実施例１と同様の手順でレコードを検索する。
【０３１２】
この構成によれば、画像音声登録手段は、入力手段が入力したアクセス制限情報を取得画像に関連付ける。よって、会議識別情報及び開催時間区間と関連付けて一旦記憶部に登録したアクセス制限情報のみに関連付けれられて取得画像が登録される場合と比べて、アクセス制限情報を設定するユーザの労力を軽減でき、利便性が向上する。特に、一例として、開催時間区間が未定の場合、又は既に会議が開始している場合に、容易且つ迅速にアクセス制限情報を設定できる。
【０３１３】
尚、本発明の会議方法は、情報処理装置１００により実現できる。
また、本発明の情報処理方法は、コンピュータを制御して実行するプログラムとして実現することができる。このプログラムは、磁気ディスクや光ディスク、半導体メモリ、その他の記録媒体に格納して配布したり、ネットワークを介して配信したりすることにより、提供することができる。
【０３１４】
以上本発明の好ましい実施例について詳述したが、本発明は係る特定の実施例に限定されるものではなく、特許請求の範囲に記載された本発明の要旨の範囲内において、種々の変形、変更が可能である。
【０３１５】
上記実施形態では、ユーザ認証情報としてユーザ情報及びパスワードを用いて認証を行うとしたが、これに限定されるわけではなく、例えば、指紋、眼球の奥の虹彩、音声等のバイオメトリクス認証情報、若しくは、ユーザ情報及びサインから構成される認証情報を用いる構成を採用することも可能である。
【０３１６】
上記実施形態では、ユーザ認証情報の取得方法として入力装置１６０等からユーザ識別情報及びパスワードを取得する場合について説明したが、これに限定されるわけではなく、例えば、コピーカードや社員証等のカードからカードリーダを用いてユーザ認証情報を取得する構成を採用することも可能である。
【図面の簡単な説明】
【０３１７】
【図１】本発明の会議システムの第１の実施形態を示す構成図である。
【図２】本発明の情報処理装置の一実施形態を示すブロック図である。
【図３】ソフトウェア制御を実現するための情報処理装置１００の一構成例を表す構成図である。
【図４】画像音声登録部の登録処理の一例を表すフローチャートである。
【図５】実施例１において表示装置１７０等が表示するアクセス設定画面の一例を表す図である。
【図６】アクセス権付与部の行なう登録処理の一例を表すフローチャートである。
【図７】表示装置１６０等が表示する認証画面の一例を説明するための図である。
【図８】実施例１において表示装置１６０等が表示する閲覧画面の一例を説明するための図である。
【図９】閲覧部１０６０の実行する認証処理の一例を説明するためのフローチャートである。
【図１０】閲覧部１０６０の実行する検索処理の一例を説明するためのフローチャートである。
【図１１】表示装置１６０等が表示するアクセス権変更画面の一例を説明するための図である。
【図１２】閲覧部１０６０が実行するアクセス権変更処理の一例を説明するためのフローチャートである。
【図１３】実施例２において表示装置１７０等が表示するアクセス設定画面の一例を表す図である。
【図１４】実施例３において表示装置１７０等が表示するアクセス設定画面の一例を表す図である。
【図１５】実施例３において表示装置１６０等が表示する閲覧画面ＦＶの一例を説明するための図である。
【図１６】実施例４において表示装置１７０等が表示するアクセス設定画面の一例を表す図である。
【図１７】実施例４において閲覧部１０６０が実施する検索処理の一例を説明するためのフローチャートである。
【図１８】実施例５において表示装置１７０等が表示するアクセス設定画面の一例を表す図である。
【符号の説明】
【０３１８】
１００…情報処理装置
１０１…演算装置
１０２…ＲＯＭ
１０３…外部記憶装置
１０４…Ｉ／Ｏポート
１０５…バス
１１０…画像生成装置
１２０…音声取得装置
１３０…映像取得装置
１４０…画像表示装置
１５０…音声画像取込装置
１６０…第１入力装置（入力手段）
１７０…第１表示装置（表示手段）
１８０…第１出音装置（出音手段）
２００…遠隔端末装置
２１０…第２入力装置（入力手段）
２２０…第２表示装置（表示手段）
２３０…第２出音装置（出音手段）
３００…ネットワーク
４０１〜ｎ…会議室
１０１０…記憶部
１０１１…アクセス情報ＤＢ
１０１２…音声画像ＤＢ
１０１３…ユーザ情報ＤＢ
１０１４…ユーザ情報ＤＢ
１０２０…画像音声登録部（画像音声登録手段）
１０３０…テキスト抽出部
１０４０…分類基準登録部（分類基準登録手段）
１０５０…アクセス権付与部（アクセス情報登録手段）
１０６０…閲覧部
１０７０…入出力制御部
１０８０…通信部
ＡＡ…設定アクセス権限領域
ＡＢ…書誌情報表示領域
ＡＤ…開示範囲表示領域
ＡＳ…サムネイル表示領域
ＢＴＡ…アクセス権限付与ボタン
ＢＴＡＥ…アクセス権限付与終了ボタン
ＢＴＡＳ…アクセス権限付与開始ボタン
ＢＴＣ…設定クリアボタン
ＢＴＧ…アクセス権限変更ボタン
ＢＴＳ…検索ボタン
ＦＡＧ…アクセス権変更画面
ＦＡＳ…アクセス設定画面
ＦＬＧ…ログイン画面
ＦＶ…閲覧画面
ＧＤ…開始日付テキストボックスグループ
ＧＩ…期間テキストボックスグループ
ＧＳ…起算日テキストボックスグループ
ＧＴ……開始時刻グループ
ＧＴ…開始時刻グループ
ＭＡＣ…アクセス制限情報メモボックス
ＰＣ…サムネイルページコントロール
ＳＢ…スクロールバー
ＳＮ…サムネイル
ＴＢＡ…場所テキストボックス
ＴＢＣ…動作テキストボックス
ＴＢＤ…開始日付テキストボックス
ＴＢＤ…開始日付テキストボックス
ＴＢＩＤ…ユーザＩＤテキストボックス
ＴＢＰＤ…パスワードテキストボックス
ＴＢＲ…範囲テキストボックス
ＴＢＴ…開始時刻テキストボックス
ＴＢＷ…検索ワードテキストボックス
ＴＣ１〜２…場所タブ
【図１】
2007334832.tif 000013
【図２】
2007334832.tif 000014
【図３】
2007334832.tif 000015
【図４】
2007334832.tif 000016
【図５】
2007334832.tif 000017
【図６】
2007334832.tif 000018
【図７】
2007334832.tif 000019
【図８】
2007334832.tif 000020
【図９】
2007334832.tif 000021
【図１０】
2007334832.tif 000022
【図１１】
2007334832.tif 000023
【図１２】
2007334832.tif 000024
【図１３】
2007334832.tif 000025
【図１４】
2007334832.tif 000026
【図１５】
2007334832.tif 000027
【図１６】
2007334832.tif 000028
【図１７】
2007334832.tif 000029
【図１８】
2007334832.tif 000030